(57)【要約】  信号伝送方法、装置、端末及びネットワーク側機器を提供する。該方法において、各グループの第１指示情報によって少なくとも１つの第１信号リソースを指示する少なくとも２つのグループの第１指示情報をネットワーク側機器から受信するステップと、データ層を複数含む第１信号を、少なくとも２つのグループの第１指示情報の指示に基づいて送信するステップとを含み、第１信号の各データ層は、それぞれ１つのグループの第１指示情報と対応関係が存在する。【選択図】  図４
2021534675.tif 000002
【特許請求の範囲】
【請求項１】
端末に応用される信号伝送方法であって、
各グループの第１指示情報によって少なくとも１つの第１信号リソースを指示する少なくとも２つのグループの第１指示情報をネットワーク側機器から受信するステップと、
データ層を複数含む第１信号を、前記少なくとも２つのグループの第１指示情報の指示に基づいて送信するステップとを含み、
前記第１信号の各データ層は、それぞれ１つのグループの前記第１指示情報と対応関係が存在する、信号伝送方法。
【請求項２】
前記少なくとも２つのグループの第１指示情報をネットワーク側機器から受信するステップの前に、
少なくとも１つの第１信号リソースを端末に対し構成するための第１構成情報をネットワーク側機器から受信するステップと、
前記第１構成情報に基づいて、第２信号を前記ネットワーク側機器に送信するステップとを更に含み、
前記第１指示情報によって指示される少なくとも１つの第１信号リソースは、前記第１構成情報によって構成される第１信号リソースのうちの第１信号リソースである、請求項１に記載の信号伝送方法。
【請求項３】
前記第１信号を前記少なくとも２つのグループの第１指示情報の指示に基づいて送信することは、
前記第１指示情報によって指示される第１信号リソースに対応する第２信号を送信する際に使用されたアンテナパネルをそれぞれ用いて前記第１信号を送信することを含む、請求項２に記載の信号伝送方法。
【請求項４】
複数のアンテナポートを含む第１信号リソースを前記第１構成情報によって１つのみ構成した場合、第１信号を前記少なくとも２つのグループの第１指示情報の指示に基づいて送信する前に、
前記第１構成情報によって構成される第１信号リソースのアンテナポートのグループ分け状況を指示するための第１グループ分け情報を前記ネットワーク側機器から受信することを更に含み、
各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する、請求項２に記載の信号伝送方法。
【請求項５】
第１信号リソースを前記第１構成情報によって複数構成した場合、第１信号を前記少なくとも２つのグループの第１指示情報の指示に基づいて送信する前に、
前記第１構成情報によって構成される第１信号リソースのグループ分け状況を指示するための第２グループ分け情報を前記ネットワーク側機器から受信することを更に含み、
各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する、請求項２に記載の信号伝送方法。
【請求項６】
異なるグループの前記第１指示情報は、独立して符号化され、又は、前記少なくとも２つのグループの第１指示情報は、ジョイント符号化される、請求項１に記載の信号伝送方法。
【請求項７】
異なるグループの前記第１指示情報は、異なる物理層シグナリングによって指示され、又は、前記少なくとも２つのグループの第１指示情報は、同一の物理層シグナリングによって指示される、請求項１に記載の信号伝送方法。
【請求項８】
前記第１構成情報によって少なくとも１つの第１信号リソースサブグループを構成し、各第１信号リソースサブグループに少なくとも１つの第１信号リソースが含まれ、
各グループの第１指示情報は、１つの第１信号リソースサブグループに対応する、請求項２に記載の信号伝送方法。
【請求項９】
前記少なくとも２つのグループの第１指示情報に対応する第１信号リソースサブグループの第２指示情報を前記ネットワーク側機器から受信することと、
前記第２指示情報に基づいて、前記第１指示情報に対応する第１信号リソースサブグループを決定することとを更に含む、請求項８に記載の信号伝送方法。
【請求項１０】
前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示し、
前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する、請求項８に記載の信号伝送方法。
【請求項１１】
前記第１指示情報は、
前記第１信号リソースが存在する第１信号リソースサブグループにおける前記第１信号リソースのローカルインデックスを指示すること、
前記ネットワーク側機器によって構成される全ての第１信号リソースにおける前記第１信号リソースのグローバルインデックスを指示すること、
前記ネットワーク側機器によって構成される全ての第１信号リソースにおける前記第１信号リソースの絶対インデックスを指示すること、
前記第１信号リソースが存在する第１信号リソースサブグループの、対応するアンテナパネルに含まれる前記第１信号リソースサブグループにおけるローカルインデックスを指示すること、
前記第１信号リソースが存在する第１信号リソースサブグループの、前記ネットワーク側機器によって構成される全ての第１信号リソースサブグループにおけるグローバルインデックスを指示すること、
前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する、請求項１０に記載の信号伝送方法。
【請求項１２】
前記第１信号を前記少なくとも２つのグループの第１指示情報の指示に基づいて送信するステップの前に、
前記第１信号のデータ層と各グループの第１指示情報との間の対応関係を取得することを更に含む、請求項１に記載の信号伝送方法。
【請求項１３】
前記前記第１信号のデータ層と各グループの第１指示情報との間の対応関係を取得することは、
前記第１信号のデータ層と第１指示情報との間の対応関係情報を前記ネットワーク側機器から受信することと、
前記対応関係情報に基づいて、前記第１信号のデータ層と前記第１指示情報との間の対応関係を取得することとを含む、請求項１２に記載の信号伝送方法。
【請求項１４】
前記対応関係情報は、
各グループの第１指示情報に対応するデータ層を、長さＫ（２以上の整数）ビットの情報フィールドによってビットマップ方式で指示すること、
各グループの第１指示情報に対応するデータ層の層数を指示すること、
各グループの第１表示情報に対応するデータ層の最大層識別子を指示することの少なくとも１つによって指示される、請求項１３に記載の信号伝送方法。
【請求項１５】
前記第１構成情報に基づいて第２信号を前記ネットワーク側機器に送信する前に、
前記第１構成情報に含まれる第１信号リソースに対応する送信ビームを指示するためのビーム指示情報を前記ネットワーク側機器から受信するステップを更に含み、
前記前記第１構成情報に基づいて第２信号を前記ネットワーク側機器に送信することは、
前記第１構成情報に基づいて、前記ビーム指示情報によって指示される送信ビームを利用して前記第２信号を前記ネットワーク側機器に送信することを含む、請求項２に記載の信号伝送方法。
【請求項１６】
ビーム指示情報を前記ネットワーク側機器から受信するステップの前に、
ビームトレーニング用の複数のグループの上り基準信号リソースである第３信号の送信を前記端末に指示するための第３指示情報をネットワーク側機器から受信することと、
前記第３指示情報に基づいて、前記端末の複数のアンテナパネルを用いてそれぞれ前記第３信号を送信することとを更に含み、
各グループの上り基準信号リソースは、少なくとも１つの上り基準信号リソースを含む、請求項１５に記載の信号伝送方法。
【請求項１７】
各グループの第１指示情報は、前記端末の１つのアンテナパネルに対応する、請求項１に記載の信号伝送方法。
【請求項１８】
ネットワーク側機器に応用される信号伝送方法であって、
各グループの第１指示情報によって少なくとも１つの第１信号リソースを指示する少なくとも２つのグループの第１指示情報を端末に送信するステップと、
前記端末が前記少なくとも２つのグループの第１指示情報の指示に基づいて送信した第１信号であって、データ層を複数含む第１信号を受信するステップとを含み、
前記第１信号の各データ層は、それぞれ１つのグループの前記第１指示情報と対応関係が存在する、信号伝送方法。
【請求項１９】
前記少なくとも２つのグループの第１指示情報を端末に送信するステップの前に、
少なくとも１つの第１信号リソースを端末に対し構成するための第１構成情報を前記端末に送信するステップと、
前記端末が前記第１構成情報に基づいて送信した第２信号を受信するステップと、
前記第２信号を測定し、前記第２信号に対応する第１信号リソースから少なくとも１つの第１信号リソースを選択するステップとを更に含み、
前記第１指示情報によって指示される少なくとも１つの第１信号リソースは、前記ネットワーク側機器が選択した第１信号リソースである、請求項１８に記載の信号伝送方法。
【請求項２０】
前記前記端末が前記少なくとも２つのグループの第１指示情報の指示に基づいて送信した第１信号を受信することは、
前記第１指示情報によって指示される第１信号リソースに対応する第２信号を送信する際に使用されたアンテナパネルを前記端末がそれぞれ用いて送信した第１信号を受信することを含む、請求項１９に記載の信号伝送方法。
【請求項２１】
複数のアンテナポートを含む第１信号リソースを前記第１構成情報によって１つのみ構成した場合、前記端末が前記第１構成情報に基づいて送信した第２信号を受信する前に、
前記第１構成情報によって構成される第１信号リソースのアンテナポートのグループ分け状況を指示するための第１グループ分け情報を前記端末に送信することを更に含み、
各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する、請求項１９に記載の信号伝送方法。
【請求項２２】
第１信号リソースを前記第１構成情報によって複数構成した場合、前記端末が前記第１構成情報に基づいて送信した第２信号を受信する前に、
前記第１構成情報によって構成される第１信号リソースのグループ分け状況を指示するための第２グループ分け情報を前記端末に送信することを更に含み、
各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する、請求項１９に記載の信号伝送方法。
【請求項２３】
異なるグループの前記第１指示情報は、独立して符号化され、又は、前記少なくとも２つのグループの第１指示情報は、ジョイント符号化される、請求項１８に記載の信号伝送方法。
【請求項２４】
異なるグループの前記第１指示情報は、異なる物理層シグナリングによって指示され、又は、前記少なくとも２つのグループの第１指示情報は、同一の物理層シグナリングによって指示される、請求項１８に記載の信号伝送方法。
【請求項２５】
前記第１構成情報によって少なくとも１つの第１信号リソースサブグループを構成し、各第１信号リソースサブグループに少なくとも１つの第１信号リソースが含まれ、
各グループの第１指示情報は、１つの第１信号リソースサブグループに対応する、請求項１９に記載の信号伝送方法。
【請求項２６】
前記少なくとも２つのグループの第１指示情報に対応する第１信号リソースサブグループの第２指示情報を前記端末に送信することと、
前記第２指示情報に基づいて、前記第１指示情報に対応する第１信号リソースサブグループを決定することとを更に含む、請求項２５に記載の信号伝送方法。
【請求項２７】
前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示し、
前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する、請求項２５に記載の信号伝送方法。
【請求項２８】
前記第１指示情報は、
前記第１信号リソースが存在する第１信号リソースサブグループにおける前記第１信号リソースのローカルインデックスを指示すること、
前記ネットワーク側機器によって構成される全ての第１信号リソースにおける前記第１信号リソースのグローバルインデックスを指示すること、
前記ネットワーク側機器によって構成される全ての第１信号リソースにおける前記第１信号リソースの絶対インデックスを指示すること、
前記第１信号リソースが存在する第１信号リソースサブグループの、対応するアンテナパネルに含まれる前記第１信号リソースサブグループにおけるローカルインデックスを指示すること、
前記第１信号リソースが存在する第１信号リソースサブグループの、前記ネットワーク側機器によって構成される全ての第１信号リソースサブグループにおけるグローバルインデックスを指示すること、
前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する、請求項２７に記載の信号伝送方法。
【請求項２９】
前記前記端末が前記少なくとも２つのグループの第１指示情報の指示に基づいて送信した第１信号を受信するステップの前に、
前記第１信号のデータ層と第１指示情報との間の対応関係情報を前記端末に送信することを更に含み、それによって、前記端末が、前記対応関係情報に基づいて、前記第１信号のデータ層と前記第１指示情報との間の対応関係を取得することができる、請求項１８に記載の信号伝送方法。
【請求項３０】
前記対応関係情報は、
各グループの第１指示情報に対応するデータ層を、長さＫ（２以上の整数）ビットの情報フィールドによってビットマップ方式で指示すること、
各グループの第１指示情報に対応するデータ層の層数を指示すること、
各グループの第１表示情報に対応するデータ層の最大層識別子を指示することの少なくとも１つによって指示される、請求項２９に記載の信号伝送方法。
【請求項３１】
前記前記端末が前記第１構成情報に基づいて送信した第２信号を受信する前に、
前記第１構成情報に含まれる第１信号リソースに対応する送信ビームを指示するためのビーム指示情報を前記端末に送信するステップを更に含み、
前記前記端末が前記第１構成情報に基づいて送信した第２信号を受信することは、
前記端末が前記第１構成情報に基づいて、前記ビーム指示情報によって指示される送信ビームを利用して前記ネットワーク側機器に送信した第２信号を受信することを含む、請求項１９に記載の信号伝送方法。
【請求項３２】
前記ビーム指示情報を前記端末に送信する前に、
ビームトレーニング用の複数のグループの上り基準信号リソースである第３信号の送信を前記端末に指示するための第３指示情報を前記端末に送信することと、
前記端末が前記第３指示情報に基づいて端末の複数のアンテナパネルを用いて送信した前記第３信号を受信することと、
前記第３信号に対応する上り基準信号リソースから少なくとも１つの上り基準信号リソースを選択することとを更に含み、
各グループの上り基準信号リソースは、少なくとも１つの上り基準信号リソースを含み、
前記ビーム指示情報によって指示される送信ビームは、前記ネットワーク側機器が選択した少なくとも１つの上り基準信号リソースに対応する送信ビームである、請求項３１に記載の信号伝送方法。
【請求項３３】
各グループの第１指示情報は、前記端末の１つのアンテナパネルに対応する、請求項１８に記載の信号伝送方法。
【請求項３４】
端末に応用される信号伝送装置であって、
各グループの第１指示情報によって少なくとも１つの第１信号リソースを指示する少なくとも２つのグループの第１指示情報をネットワーク側機器から受信する第１受信モジュールと、
データ層を複数含む第１信号を、前記少なくとも２つのグループの第１指示情報の指示に基づいて送信する第１送信モジュールとを含み、
前記第１信号の各データ層は、それぞれ１つのグループの前記第１指示情報と対応関係が存在する、信号伝送装置。
【請求項３５】
端末であって、
複数のアンテナパネルを含み、更にトランシーバと、メモリと、プロセッサと、前記メモリに格納されて前記プロセッサで実行可能なプログラムを含み、
前記プロセッサは、メモリからプログラムを読み取って、
各グループの第１指示情報によって少なくとも１つの第１信号リソースを指示する少なくとも２つのグループの第１指示情報をネットワーク側機器から受信するプロセスと、データ層を複数含む第１信号を、前記少なくとも２つのグループの第１指示情報の指示に基づいて送信するプロセスとを前記トランシーバが実行するように制御し、
前記第１信号の各データ層は、それぞれ１つのグループの前記第１指示情報と対応関係が存在する、端末。
【請求項３６】
前記トランシーバは、更に、
少なくとも１つの第１信号リソースを端末に対し構成するための第１構成情報をネットワーク側機器から受信し、
前記第１構成情報に基づいて、第２信号を前記ネットワーク側機器に送信し、
前記第１指示情報によって指示される少なくとも１つの第１信号リソースは、前記第１構成情報によって構成される第１信号リソースのうちの第１信号リソースである、請求項３５に記載の端末。
【請求項３７】
前記トランシーバは、更に、
前記第１指示情報によって指示される第１信号リソースに対応する第２信号を送信する際に使用されたアンテナパネルをそれぞれ用いて前記第１信号を送信する、請求項３６に記載の端末。
【請求項３８】
複数のアンテナポートを含む第１信号リソースを前記第１構成情報によって１つのみ構成した場合、前記トランシーバは、更に、
前記第１構成情報によって構成される第１信号リソースのアンテナポートのグループ分け状況を指示するための第１グループ分け情報を前記ネットワーク側機器から受信し、
各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する、請求項３６に記載の端末。
【請求項３９】
第１信号リソースを前記第１構成情報によって複数構成した場合、前記トランシーバは、更に、
前記第１構成情報によって構成される第１信号リソースのグループ分け状況を指示するための第２グループ分け情報を前記ネットワーク側機器から受信し、
各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する、請求項３６に記載の端末。
【請求項４０】
異なるグループの前記第１指示情報は、独立して符号化され、又は、前記少なくとも２つのグループの第１指示情報は、ジョイント符号化される、請求項３５に記載の端末。
【請求項４１】
異なるグループの前記第１指示情報は、異なる物理層シグナリングによって指示され、又は、前記少なくとも２つのグループの第１指示情報は、同一の物理層シグナリングによって指示される、請求項３５に記載の端末。
【請求項４２】
前記第１構成情報によって少なくとも１つの第１信号リソースサブグループを構成し、各第１信号リソースサブグループに少なくとも１つの第１信号リソースが含まれ、
各グループの第１指示情報は、１つの第１信号リソースサブグループに対応する、請求項３６に記載の端末。
【請求項４３】
前記トランシーバは、更に、
前記少なくとも２つのグループの第１指示情報に対応する第１信号リソースサブグループの第２指示情報を前記ネットワーク側機器から受信し、
前記第２指示情報に基づいて、前記第１指示情報に対応する第１信号リソースサブグループを決定する、請求項４２に記載の端末。
【請求項４４】
前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示し、
前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する、請求項４２に記載の端末。
【請求項４５】
前記第１指示情報は、
前記第１信号リソースが存在する第１信号リソースサブグループにおける前記第１信号リソースのローカルインデックスを指示すること、
前記ネットワーク側機器によって構成される全ての第１信号リソースにおける前記第１信号リソースのグローバルインデックスを指示すること、
前記ネットワーク側機器によって構成される全ての第１信号リソースにおける前記第１信号リソースの絶対インデックスを指示すること、
前記第１信号リソースが存在する第１信号リソースサブグループの、対応するアンテナパネルに含まれる前記第１信号リソースサブグループにおけるローカルインデックスを指示すること、
前記第１信号リソースが存在する第１信号リソースサブグループの、前記ネットワーク側機器によって構成される全ての第１信号リソースサブグループにおけるグローバルインデックスを指示すること、
前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する、請求項４４に記載の端末。
【請求項４６】
前記トランシーバは、更に、
前記第１信号のデータ層と各グループの第１指示情報との間の対応関係を取得する、請求項３５に記載の端末。
【請求項４７】
前記トランシーバは、更に、
前記第１信号のデータ層と第１指示情報との間の対応関係情報を前記ネットワーク側機器から受信し、
前記プロセッサは、更に、
前記対応関係情報に基づいて、前記第１信号のデータ層と前記第１指示情報との間の対応関係を取得する、請求項４６に記載の端末。
【請求項４８】
前記対応関係情報は、
各グループの第１指示情報に対応するデータ層を、長さＫ（２以上の整数）ビットの情報フィールドによってビットマップ方式で指示すること、
各グループの第１指示情報に対応するデータ層の層数を指示すること、
各グループの第１表示情報に対応するデータ層の最大層識別子を指示することの少なくとも１つによって指示される、請求項４７に記載の端末。
【請求項４９】
前記トランシーバは、更に、
前記第１構成情報に含まれる第１信号リソースに対応する送信ビームを指示するためのビーム指示情報を前記ネットワーク側機器から受信し、
前記第１構成情報に基づいて、前記ビーム指示情報によって指示される送信ビームを利用して前記第２信号を前記ネットワーク側機器に送信する、請求項３６に記載の端末。
【請求項５０】
前記トランシーバは、更に、
ビームトレーニング用の複数のグループの上り基準信号リソースである第３信号の送信を前記端末に指示するための第３指示情報をネットワーク側機器から受信し、
前記第３指示情報に基づいて、前記端末の複数のアンテナパネルを用いてそれぞれ前記第３信号を送信し、
各グループの上り基準信号リソースは、少なくとも１つの上り基準信号リソースを含む、請求項４９に記載の端末。
【請求項５１】
各グループの第１指示情報は、前記端末の１つのアンテナパネルに対応する、請求項３５に記載の端末。
【請求項５２】
コンピュータプログラムが格納されているコンピュータ読み取り可能な記憶媒体であって、
前記コンピュータプログラムがプロセッサによって実行されると、請求項１〜１７のいずれか１項に記載の信号伝送方法のステップが実現される、コンピュータ読み取り可能な記憶媒体。
【請求項５３】
ネットワーク側機器に応用される信号伝送装置であって、
各グループの第１指示情報によって少なくとも１つの第１信号リソースを指示する少なくとも２つのグループの第１指示情報を端末に送信する第２送信モジュールと、
前記端末が前記少なくとも２つのグループの第１指示情報の指示に基づいて送信した第１信号であって、データ層を複数含む第１信号を受信する第２受信モジュールとを含み、
前記第１信号の各データ層は、それぞれ１つのグループの前記第１指示情報と対応関係が存在する、信号伝送装置。
【請求項５４】
ネットワーク側機器であって、
トランシーバと、メモリと、プロセッサと、前記メモリに格納されて前記プロセッサで実行可能なコンピュータプログラムを含み、
前記プロセッサは、メモリからプログラムを読み取って、
各グループの第１指示情報によって少なくとも１つの第１信号リソースを指示する少なくとも２つのグループの第１指示情報を端末に送信するプロセスと、前記端末が前記少なくとも２つのグループの第１指示情報の指示に基づいて送信した第１信号であって、データ層を複数含む第１信号を受信するプロセスとを前記トランシーバが実行するように制御し、
前記第１信号の各データ層は、それぞれ１つのグループの前記第１指示情報と対応関係が存在する、ネットワーク側機器。
【請求項５５】
前記トランシーバは、更に、
少なくとも１つの第１信号リソースを端末に対し構成するための第１構成情報を前記端末に送信し、
前記端末が前記第１構成情報に基づいて送信した第２信号を受信し、
前記第２信号を測定し、前記第２信号に対応する第１信号リソースから少なくとも１つの第１信号リソースを選択し、
前記第１指示情報によって指示される少なくとも１つの第１信号リソースは、前記ネットワーク側機器が選択した第１信号リソースである、請求項５４に記載のネットワーク側機器。
【請求項５６】
前記トランシーバは、更に、
前記第１指示情報によって指示される第１信号リソースに対応する第２信号を送信する際に使用されたアンテナパネルを前記端末がそれぞれ用いて送信した第１信号を受信する、請求項５５に記載のネットワーク側機器。
【請求項５７】
複数のアンテナポートを含む第１信号リソースを前記第１構成情報によって１つのみ構成した場合、前記トランシーバは、更に、
前記第１構成情報によって構成される第１信号リソースのアンテナポートのグループ分け状況を指示するための第１グループ分け情報を前記端末に送信し、
各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する、請求項５５に記載のネットワーク側機器。
【請求項５８】
第１信号リソースを前記第１構成情報によって複数構成した場合、前記トランシーバは、更に、
前記第１構成情報によって構成される第１信号リソースのグループ分け状況を指示するための第２グループ分け情報を前記端末に送信し、
各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する、請求項５５に記載のネットワーク側機器。
【請求項５９】
異なるグループの前記第１指示情報は、独立して符号化され、又は、前記少なくとも２つのグループの第１指示情報は、ジョイント符号化される、請求項５４に記載のネットワーク側機器。
【請求項６０】
異なるグループの前記第１指示情報は、異なる物理層シグナリングによって指示され、又は、前記少なくとも２つのグループの第１指示情報は、同一の物理層シグナリングによって指示される、請求項５４に記載のネットワーク側機器。
【請求項６１】
前記第１構成情報によって少なくとも１つの第１信号リソースサブグループを構成し、各第１信号リソースサブグループに少なくとも１つの第１信号リソースが含まれ、
各グループの第１指示情報は、１つの第１信号リソースサブグループに対応する、請求項５５に記載のネットワーク側機器。
【請求項６２】
前記トランシーバは、更に、
前記少なくとも２つのグループの第１指示情報に対応する第１信号リソースサブグループの第２指示情報を前記端末に送信し、
前記第２指示情報に基づいて、前記第１指示情報に対応する第１信号リソースサブグループを決定する、請求項６１に記載のネットワーク側機器。
【請求項６３】
前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示し、
前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する、請求項６１に記載のネットワーク側機器。
【請求項６４】
前記第１指示情報は、
前記第１信号リソースが存在する第１信号リソースサブグループにおける前記第１信号リソースのローカルインデックスを指示すること、
前記ネットワーク側機器によって構成される全ての第１信号リソースにおける前記第１信号リソースのグローバルインデックスを指示すること、
前記ネットワーク側機器によって構成される全ての第１信号リソースにおける前記第１信号リソースの絶対インデックスを指示すること、
前記第１信号リソースが存在する第１信号リソースサブグループの、対応するアンテナパネルに含まれる前記第１信号リソースサブグループにおけるローカルインデックスを指示すること、
前記第１信号リソースが存在する第１信号リソースサブグループの、前記ネットワーク側機器によって構成される全ての第１信号リソースサブグループにおけるグローバルインデックスを指示すること、
前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する、請求項６３に記載のネットワーク側機器。
【請求項６５】
前記トランシーバは、更に、
前記第１信号のデータ層と第１指示情報との間の対応関係情報を前記端末に送信し、それによって、前記端末が、前記対応関係情報に基づいて、前記第１信号のデータ層と前記第１指示情報との間の対応関係を取得することができる、請求項５４に記載のネットワーク側機器。
【請求項６６】
前記対応関係情報は、
各グループの第１指示情報に対応するデータ層を、長さＫ（２以上の整数）ビットの情報フィールドによってビットマップ方式で指示すること、
各グループの第１指示情報に対応するデータ層の層数を指示すること、
各グループの第１表示情報に対応するデータ層の最大層識別子を指示することの少なくとも１つによって指示される、請求項６５に記載のネットワーク側機器。
【請求項６７】
前記トランシーバは、更に、
前記第１構成情報に含まれる第１信号リソースに対応する送信ビームを指示するためのビーム指示情報を前記端末に送信し、
前記端末が前記第１構成情報に基づいて、前記ビーム指示情報によって指示される送信ビームを利用して前記ネットワーク側機器に送信した第２信号を受信する、請求項５５５に記載のネットワーク側機器。
【請求項６８】
前記トランシーバは、更に、
ビームトレーニング用の複数のグループの上り基準信号リソースである第３信号の送信を前記端末に指示するための第３指示情報を前記端末に送信し、
前記端末が前記第３指示情報に基づいて端末の複数のアンテナパネルを用いて送信した前記第３信号を受信し、
前記プロセッサは、更に、
前記第３信号に対応する上り基準信号リソースから少なくとも１つの上り基準信号リソースを選択し、
各グループの上り基準信号リソースは、少なくとも１つの上り基準信号リソースを含み、
前記ビーム指示情報によって指示される送信ビームは、前記ネットワーク側機器が選択した少なくとも１つの上り基準信号リソースに対応する送信ビームである、請求項６７に記載のネットワーク側機器。
【請求項６９】
各グループの第１指示情報は、前記端末の１つのアンテナパネルに対応する、請求項５４に記載のネットワーク側機器。
【請求項７０】
コンピュータプログラムが格納されているコンピュータ読み取り可能な記憶媒体であって、
前記コンピュータプログラムがプロセッサによって実行されると、請求項１８〜３３のいずれか１項に記載の信号伝送方法のステップが実現される、コンピュータ読み取り可能な記憶媒体。
【発明の詳細な説明】
【技術分野】
【０００１】
関連出願の相互参照
本願は、２０１８年８月１７日に中国特許庁に提出された中国特許出願２０１８１０９４２０１１．Ｘの優先権を主張し、その全ての内容が援用によりここに取り込まれる。
本開示は、通信技術分野に係り、特に信号伝送方法、装置、端末及びネットワーク側機器に係る。
【背景技術】
【０００２】
ピークレート及びシステムのスペクトル利用率の向上への多入力多出力ＭＩＭＯ（Ｍｕｌｔｉｐｌｅ−Ｉｎｐｕｔ  Ｍｕｌｔｉｐｌｅ−Ｏｕｔｐｕｔ）技術の重要な役割を鑑みると、ロングタームエボリューションＬＴＥ（Ｌｏｎｇ  Ｔｅｒｍ  Ｅｖｏｌｕｔｉｏｎ）／ＬＴＥ−Ａ（ＬＴＥ−Ａｄｖａｎｃｅｄ）などの無線アクセス技術規格は、ＭＩＭＯ＋直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術をベースに構築されている。ＭＩＭＯ技術の性能利得は、マルチアンテナシステムによって得られる空間自由度に由来するため、ＭＩＭＯ技術の標準化の進展における最も重要な進化方向は、次元の拡張である。
【０００３】
ＬＴＥ  Ｒｅｌ−８では、最大で４レイヤのＭＩＭＯ伝送がサポートされる。Ｒｅｌ−０は、マルチユーザ多入力多出力ＭＵ−ＭＩＭＯ（Ｍｕｌｔｉ−Ｕｓｅｒ  ＭＩＭＯ）技術の強化に重点を置き、伝送モードＴＭ（Ｔｒａｎｓｍｉｓｓｉｏｎ  Ｍｏｄｅ）−８におけるＭＵ−ＭＩＭＯ伝送では、最大４つの下りデータ層をサポートする。Ｒｅｌ−１０は、８アンテナポートをサポートすることを導入してチャネル状態情報の空間分解能を更に向上させ、シングルユーザ多入力多出力ＳＵ−ＭＩＭＯ（Ｓｉｎｇｌｅ−Ｕｓｅｒ  ＭＩＭＯ）の伝送能力を最大９個のデータ層に更に拡張する。Ｒｅｌ−１３及びＲｅｌ−１４は、全次元多入力多出力ＦＤ−ＭＩＭＯ（Ｆｕｌｌ  Ｄｉｍｅｎｓｉｏｎ−ＭＩＭＯ）技術を導入して３２ポートまでサポートし、全次元及び垂直方向のビームフォーミングを実現する。
【０００４】
ＭＩＭＯ技術を更に向上させるために、移動通信システムには、大規模なアンテナ技術が導入されている。基地局において、フルデジタル化された大規模なアンテナは、１２８／２５６／５１２個までのアンテナ素子及び１２８／２５６／５１２個までの送受信部とを有し、各アンテナ素子が１つの送受信部に接続される。１２８／２５６／５１２個までのアンテナポートのパイロット信号を送信することで、端末は、チャネル状態情報を測定してフィードバックする。端末において、３２／６４個のアンテナ素子までのアンテナアレイを構成することも可能である。基地局と端末の両側のビームフォーミングにより、巨大なビームフォーミング利得が得られることで、パスロスによる信号減衰を補う。特に、３０ＧＨｚなどの高周波数帯の通信では、パスロスにより無線信号のカバレッジが極めて制限される。大規模なアンテナ技術により、無線信号のカバレッジを実用可能な範囲まで広げることができる。
【０００５】
フルデジタルアンテナアレイは、アンテナ素子毎に独立した送受信部を有しているため、装置のサイズ、コスト及び消費電力が大幅に増大してしまう。特に、送受信部のアナログデジタル変換器ＡＤＣ（Ａｎａｌｏｇ−ｔｏ−Ｄｉｇｉｔａｌ  Ｃｏｎｖｅｒｔｅｒ）やデジタルアナログ変換器ＤＡＣ（Ｄｉｇｉｔａｌ−ｔｏ−Ａｎａｌｏｇ  Ｃｏｎｖｅｒｔｅｒ）は、１０年ほどで消費電力が１／１０程度しか低下せず、性能向上にも限界があった。装置のサイズ、コスト及び消費電力を低下させるために、図１及び図２に示すように、送信側及び受信側にそれぞれＮｔ、Ｎｒ個の送受信部を有するアナログビームフォーミングによる技術が提案されている。アナログビームフォーミングの主な特徴は、中間周波数（図１）又は無線周波数信号（図２）を移相器で重み付けてフォーミングすることである。利点として、全ての送信（受信）アンテナに送受信部が１つしかなく、簡単に実現可能であり、コスト、サイズ及び消費電力を低下させる。
【０００６】
アナログビームフォーミング性能を更に向上させるために、図３に示すようなデジタルアナログ複合ビームフォーミング送受信アーキテクチャ方式が提案されている。図３において、送信側及び受信側にそれぞれ
【数１】
2021534675.tif 000003
、
【数２】
2021534675.tif 000004
個の送受信部を有し、送信側のアンテナ素子数
【数３】
2021534675.tif 000005
、受信側のアンテナ素子数
【数４】
2021534675.tif 000006
であり、ビームフォーミングによってサポートされる最大の並列伝送ストリーム数は、ｍｉｎ（
【数５】
2021534675.tif 000007
，
【数６】
2021534675.tif 000008
）である。図３の複合ビームフォーミング構造は、デジタルビームフォーミングの柔軟性とアナログビームフォーミングの低い複雑性との間のバランスを取り、複数のデータストリーム及び複数のユーザの同時フォーミングをサポートする能力を有し、同時に複雑性も妥当な範囲内に制御される。
【０００７】
なお、図１、図２及び図３において、ＰＡは、電力増幅器を指し、ＬＮＡは、低雑音増幅器を指す。
【０００８】
アナログビームフォーミングと、デジタルアナログ複合ビームフォーミングの両方は、送受信の両端のアナログビームフォーミングのウェイトを調整する必要がある。それによって、形成されたビームを通信相手に向ける。下り伝送では、基地局側から送信されるビームフォーミングウェイトと端末側で受信されるビームフォーミングウェイトを調整する必要があり、上り伝送では、端末側から送信されるビームフォーミングウェイトと基地局側で受信されるビームフォーミングウェイトを調整する必要がある。ビームフォーミングのウェイトは、通常、トレーニング信号を送信することによって得られる。下り方向では、基地局が下りビームトレーニング信号を送信し、端末が下りビームトレーニング信号を測定して最適な基地局送信ビームを選択し、ビームに関する情報を基地局にフィードバックするとともに、対応する最適な受信ビームを選択してローカルに保存する。
【０００９】
マルチ送信アンテナが配置された端末は、上りビームフォーミングを行うことができる。上りＵＬビームフォーミング行列を決定するために、ＲＲＣ（Ｒａｄｉｏ  Ｒｅｓｏｕｒｃｅ  Ｃｏｎｔｒｏｌ）接続状態（ＲＲＣ  ＿  ＣＯＮＮＥＣＴＥＤ）にある端末に対して、半静的に複数の端末専用の上りリンクのサウンディング基準信号ＳＲＳ（Ｓｏｕｎｄｉｎｇ  Ｒｅｆｅｒｅｎｃｅ  Ｓｉｇｎａｌ）リソースが構成される。各ＳＲＳリソース上で伝送されるＳＲＳ信号は、特定のビームフォーミング行列を用いてビームフォーミングされる。端末は、上りリンクにおいて、これらのＳＲＳリソースを送信する。送受信ポイントＴＲＰ（ｔｒａｎｓｍｉｓｓｉｏｎ  ａｎｄ  ｒｅｃｅｐｔｉｏｎ  ｐｏｉｎｔ）は、異なるＳＲＳリソースの信号品質を測定し、好ましいＳＲＳリソースを選択する。ＴＲＰは、選択されたＳＲＳリソースのインデックス（例えば、サウンディング基準信号リソース識別子ＳＲＩ（ＳＲＳ  ｒｅｓｏｕｒｃｅ  ｉｎｄｉｃａｔｏｒ）、即ち、ＳＲＳリソース指示）を下りリンク制御情報ＤＣＩ（Ｄｏｗｎｌｉｎｋ  Ｃｏｎｔｒｏｌ  Ｉｎｆｏｒｍａｔｉｏｎ）を介して端末に送信する。端末は、ＴＲＰがどの上りビームフォーミング行列（例えばＳＲＳリソース）を将来の上りリンク伝送に推奨するかをＳＲＩから推定できる。端末は、その後、ＳＲＩによって指示される上りリンクビームフォーミング行列を、将来の上りリンク伝送に用いる。
【００１０】
端末は、上りリンク伝送用の複数のアンテナパネル（ｐａｎｅｌ、又はａｎｔｅｎｎａ  ｐａｎｅｌ）を有し、各アンテナパネルは、１つのアンテナ素子群からなる。アンテナパネルの正確な数、アンテナ素子の数及び各パネル内のアンテナ素子の配置が実現上の問題であり、端末ごとに実現方式が異なる。端末は、一度に１つのパネルから１つのデータ層を送信してもよく、同時にアンテナパネルのサブセット（１つより多いアンテナを含む）から１つのデータ層を送信してもよい。ここでの説明は、ＳＲＳリソース（ＳＲＳ信号の伝送）にも適用する。
【００１１】
単一アンテナパネルの端末には、送信ビーム走査のために１つのＳＲＳリソースセット（ＳＲＳ  ｒｅｓｏｕｒｃｅ  ｓｅｔ）が構成される。各ＳＲＳリソースセットは、複数のＳＲＳリソースを含み、異なるＳＲＳリソースは、異なるビームを使用してビームフォーミングされる。１つのアンテナパネルは、１つの時点に１つのアナログビームしか形成できないので、１つのＳＲＳリソースセット内の異なるＳＲＳリソースは、（異なるビームを使用して）異なる時点に送信される。基地局ｇＮＢは、ＳＲＳリソースセットを受信し、受信したＳＲＳリソースセットに基づいて、好ましい送信ビーム（例えば受信品質が最良のＳＲＳリソースが使用する送信ビーム）を決定して端末に指示する。その後、基地局は、チャネル状態情報ＣＳＩ（Ｃｈａｎｎｅｌ  Ｓｔａｔｅ  Ｉｎｆｏｒｍａｔｉｏｎ）取得のために、端末に対して１つの第２ＳＲＳリソースセットを構成する。このＣＳＩ取得用のＳＲＳリソースセットは、複数のＳＲＳリソースを含み、各ＳＲＳリソースは、同じ又は異なるアナログビームを使用してビームフォーミング（ここのアナログビームは、上記のビーム走査プロセスによって取得される）を行う。基地局は、第２ＳＲＳリソースセットに対応するＳＲＳを受信し、チャネル推定が完了すると、物理上り共有チャネルＰＵＳＣＨ（Ｐｈｙｓｉｃａｌ  Ｕｐｌｉｎｋ  Ｓｈａｒｅｄ  Ｃｈａｎｎｅｌ）をスケジューリングし、第２ＳＲＳリソースセット（ＣＳＩ取得用のＳＲＳリソースセット）内のＳＲＳリソースを指示するＳＲＩ指示をＰＵＳＣＨのスケジューリンググラントに含める。端末は、ＰＵＳＣＨの送信ビームとして、ＳＲＩによって指示されるＳＲＳを送信するアナログビームを用いる。
【００１２】
関連技術では、同時に複数のアンテナパネルからＰＵＳＣＨのマルチアンテナパネルジョイント伝送（Ｍｕｌｔｉ−ａｎｔｅｎｎａ  ｐａｎｅｌ  ｊｏｉｎｔ  ｔｒａｎｓｍｉｓｓｉｏｎ）を行うことができるように、基地局が端末のアンテナパネル数に応じて端末を柔軟にスケジューリングすることがサポートされない。
【発明の概要】
【発明が解決しようとする課題】
【００１３】
本開示の目的は、関連技術でネットワーク側機器が端末に多組の上りスケジューリング情報を指示することがサポートされないことから、上り伝送の柔軟性が制限される問題を解決するために、信号伝送方法、装置、端末及びネットワーク側機器を提供することにある。また、本開示によれば、端末が複数のアンテナパネルを用いて上り信号の複数のデータ層の伝送を行うことを可能にし、上り伝送性能を向上させることができる。
【課題を解決するための手段】
【００１４】
上記問題を解決するために、本開示の実施例は、端末に応用される信号伝送方法を提供し、各グループの第１指示情報によって少なくとも１つの第１信号リソースを指示する少なくとも２つのグループの第１指示情報をネットワーク側機器から受信するステップと、データ層を複数含む第１信号を、前記少なくとも２つのグループの第１指示情報の指示に基づいて送信するステップとを含み、前記第１信号の各データ層は、それぞれ１つのグループの前記第１指示情報と対応関係が存在する。
【００１５】
ここで、前記少なくとも２つのグループの第１指示情報をネットワーク側機器から受信するステップの前に、前記方法は、少なくとも１つの第１信号リソースを端末に対し構成するための第１構成情報をネットワーク側機器から受信するステップと、前記第１構成情報に基づいて、第２信号を前記ネットワーク側機器に送信するステップとを更に含み、前記第１指示情報によって指示される少なくとも１つの第１信号リソースは、前記第１構成情報によって構成される第１信号リソースのうちの第１信号リソースである。
【００１６】
ここで、前記第１信号を前記少なくとも２つのグループの第１指示情報の指示に基づいて送信することは、前記第１指示情報によって指示される第１信号リソースに対応する第２信号を送信する際に使用されたアンテナパネルをそれぞれ用いて前記第１信号を送信することを含む。
【００１７】
ここで、複数のアンテナポートを含む第１信号リソースを前記第１構成情報によって１つのみ構成した場合、第１信号を前記少なくとも２つのグループの第１指示情報の指示に基づいて送信する前に、前記方法は、前記第１構成情報によって構成される第１信号リソースのアンテナポートのグループ分け状況を指示するための第１グループ分け情報を前記ネットワーク側機器から受信することを更に含み、ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【００１８】
ここで、第１信号リソースを前記第１構成情報によって複数構成した場合、第１信号を前記少なくとも２つのグループの第１指示情報の指示に基づいて送信する前に、前記方法は、前記第１構成情報によって構成される第１信号リソースのグループ分け状況を指示するための第２グループ分け情報を前記ネットワーク側機器から受信することを更に含み、ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【００１９】
ここで、異なるグループの前記第１指示情報は、独立して符号化され、又は、前記少なくとも２つのグループの第１指示情報は、ジョイント符号化される。
【００２０】
ここで、異なるグループの前記第１指示情報は、異なる物理層シグナリングによって指示され、又は、前記少なくとも２つのグループの第１指示情報は、同一の物理層シグナリングによって指示される。
【００２１】
ここで、前記第１構成情報によって少なくとも１つの第１信号リソースサブグループを構成し、各第１信号リソースサブグループに少なくとも１つの第１信号リソースが含まれ、ここで各グループの第１指示情報は１つの第１信号リソースサブグループに対応する。
【００２２】
ここで、前記方法は、前記少なくとも２つのグループの第１指示情報に対応する第１信号リソースサブグループの第２指示情報を前記ネットワーク側機器から受信することと、前記第２指示情報に基づいて、前記第１指示情報に対応する第１信号リソースサブグループを決定することとを更に含む。
【００２３】
ここで、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【００２４】
ここで、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【００２５】
ここで、前記第１信号を前記少なくとも２つのグループの第１指示情報の指示に基づいて送信するステップの前に、前記方法は、前記第１信号のデータ層と各グループの第１指示情報との間の対応関係を取得することを更に含む。
【００２６】
ここで、前記前記第１信号のデータ層と各グループの第１指示情報との間の対応関係を取得することは、前記第１信号のデータ層と第１指示情報との間の対応関係情報を前記ネットワーク側機器から受信することと、前記対応関係情報に基づいて、前記第１信号のデータ層と前記第１指示情報との間の対応関係を取得することとを含む。
【００２７】
ここで、前記対応関係情報は、各グループの第１指示情報に対応するデータ層を、長さＫ（２以上の整数）ビットの情報フィールドによってビットマップ方式で指示すること、各グループの第１指示情報に対応するデータ層の層数を指示すること、各グループの第１表示情報に対応するデータ層の最大層識別子を指示することの少なくとも１つによって指示される。
【００２８】
ここで、前記第１構成情報に基づいて第２信号を前記ネットワーク側機器に送信する前に、前記方法は、前記第１構成情報に含まれる第１信号リソースに対応する送信ビームを指示するためのビーム指示情報を前記ネットワーク側機器から受信するステップを更に含み、前記前記第１構成情報に基づいて第２信号を前記ネットワーク側機器に送信することは、前記第１構成情報に基づいて、前記ビーム指示情報によって指示される送信ビームを利用して前記第２信号を前記ネットワーク側機器に送信することを含む。
【００２９】
ここで、ビーム指示情報を前記ネットワーク側機器から受信するステップの前に、前記方法は、ビームトレーニング用の複数のグループの上り基準信号リソースである第３信号の送信を前記端末に指示するための第３指示情報をネットワーク側機器から受信することと、前記第３指示情報に基づいて、前記端末の複数のアンテナパネルを用いてそれぞれ前記第３信号を送信することとを更に含み、各グループの上り基準信号リソースに少なくとも１つの上り基準信号リソースを含む。
【００３０】
ここで、各グループの第１指示情報は、前記端末の１つのアンテナパネルに対応する。
【００３１】
本開示の実施例は、ネットワーク側機器に応用される信号伝送方法を更に提供し、各グループの第１指示情報によって少なくとも１つの第１信号リソースを指示する少なくとも２つのグループの第１指示情報を端末に送信するステップと、前記端末が前記少なくとも２つのグループの第１指示情報の指示に基づいて送信した第１信号であって、データ層を複数含む第１信号を受信するステップとを含み、前記第１信号の各データ層は、それぞれ１つのグループの前記第１指示情報と対応関係が存在する。
【００３２】
ここで、前記少なくとも２つのグループの第１指示情報を端末に送信するステップの前に、前記方法は、少なくとも１つの第１信号リソースを端末に対し構成するための第１構成情報を前記端末に送信するステップと、前記端末が前記第１構成情報に基づいて送信した第２信号を受信するステップと、前記第２信号を測定し、前記第２信号に対応する第１信号リソースから少なくとも１つの第１信号リソースを選択するステップとを更に含み、ここで、前記第１指示情報によって指示される少なくとも１つの第１信号リソースは、前記ネットワーク側機器が選択した第１信号リソースである。
【００３３】
ここで、前記前記端末が前記少なくとも２つのグループの第１指示情報の指示に基づいて送信した第１信号を受信することは、前記第１指示情報によって指示される第１信号リソースに対応する第２信号を送信する際に使用されたアンテナパネルを前記端末がそれぞれ用いて送信した第１信号を受信することを含む。
【００３４】
ここで、複数のアンテナポートを含む第１信号リソースを前記第１構成情報によって１つのみ構成した場合、前記端末が前記第１構成情報に基づいて送信した第２信号を受信する前に、前記方法は、前記第１構成情報によって構成される第１信号リソースのアンテナポートのグループ分け状況を指示するための第１グループ分け情報を前記端末に送信することを更に含み、ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【００３５】
ここで、第１信号リソースを前記第１構成情報によって複数構成した場合、前記端末が前記第１構成情報に基づいて送信した第２信号を受信する前に、前記方法は、前記第１構成情報によって構成される第１信号リソースのグループ分け状況を指示するための第２グループ分け情報を前記端末に送信することを更に含み、ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【００３６】
ここで、異なるグループの前記第１指示情報は、独立して符号化され、又は、前記少なくとも２つのグループの第１指示情報は、ジョイント符号化される。
【００３７】
ここで、異なるグループの前記第１指示情報は、異なる物理層シグナリングによって指示され、又は、前記少なくとも２つのグループの第１指示情報は、同一の物理層シグナリングによって指示される。
【００３８】
ここで、前記第１構成情報によって少なくとも１つの第１信号リソースサブグループを構成し、各第１信号リソースサブグループに少なくとも１つの第１信号リソースが含まれ、ここで各グループの第１指示情報は１つの第１信号リソースサブグループに対応する。
【００３９】
ここで、前記方法は、前記少なくとも２つのグループの第１指示情報に対応する第１信号リソースサブグループの第２指示情報を前記端末に送信することと、前記第２指示情報に基づいて、前記第１指示情報に対応する第１信号リソースサブグループを決定することとを更に含む。
【００４０】
ここで、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【００４１】
ここで、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【００４２】
ここで、前記前記端末が前記少なくとも２つのグループの第１指示情報の指示に基づいて送信した第１信号を受信するステップの前に、前記方法は、前記第１信号のデータ層と第１指示情報との間の対応関係情報を前記端末に送信することを更に含み、それによって、前記端末が、前記対応関係情報に基づいて、前記第１信号のデータ層と前記第１指示情報との間の対応関係を取得することができる。
【００４３】
ここで、前記対応関係情報は、各グループの第１指示情報に対応するデータ層を、長さＫ（２以上の整数）ビットの情報フィールドによってビットマップ方式で指示すること、各グループの第１指示情報に対応するデータ層の層数を指示すること、各グループの第１表示情報に対応するデータ層の最大層識別子を指示することの少なくとも１つによって指示される。
【００４４】
ここで、前記前記端末が前記第１構成情報に基づいて送信した第２信号を受信する前に、前記方法は、前記第１構成情報に含まれる第１信号リソースに対応する送信ビームを指示するためのビーム指示情報を前記端末に送信するステップを更に含み、前記前記端末が前記第１構成情報に基づいて送信した第２信号を受信することは、前記端末が前記第１構成情報に基づいて、前記ビーム指示情報によって指示される送信ビームを利用して前記ネットワーク側機器に送信した第２信号を受信することを含む。
【００４５】
ここで、前記ビーム指示情報を前記端末に送信する前に、前記方法は、ビームトレーニング用の複数のグループの上り基準信号リソースである第３信号の送信を前記端末に指示するための第３指示情報を前記端末に送信することと、前記端末が前記第３指示情報に基づいて端末の複数のアンテナパネルを用いて送信した前記第３信号を受信することと、前記第３信号に対応する上り基準信号リソースから少なくとも１つの上り基準信号リソースを選択することとを更に含み、各グループの上り基準信号リソースは、少なくとも１つの上り基準信号リソースを含む。
ここで、前記ビーム指示情報によって指示される送信ビームは、前記ネットワーク側機器が選択した少なくとも１つの上り基準信号リソースに対応する送信ビームである。
【００４６】
ここで、各グループの第１指示情報は、前記端末の１つのアンテナパネルに対応する。
【００４７】
本開示の実施例は、端末に応用される信号伝送装置を更に提供し、各グループの第１指示情報によって少なくとも１つの第１信号リソースを指示する少なくとも２つのグループの第１指示情報をネットワーク側機器から受信する第１受信モジュールと、データ層を複数含む第１信号を、前記少なくとも２つのグループの第１指示情報の指示に基づいて送信する第１送信モジュールとを含み、前記第１信号の各データ層は、それぞれ１つのグループの前記第１指示情報と対応関係が存在する。
【００４８】
本開示の実施例は、端末を更に提供する。前記端末は、複数のアンテナパネルを含み、更にトランシーバと、メモリと、プロセッサと、前記メモリに格納されて前記プロセッサで実行可能なプログラムを含む。ここで、前記プロセッサは、メモリからプログラムを読み取って、各グループの第１指示情報によって少なくとも１つの第１信号リソースを指示する少なくとも２つのグループの第１指示情報をネットワーク側機器から受信するプロセスと、データ層を複数含む第１信号を、前記少なくとも２つのグループの第１指示情報の指示に基づいて送信するプロセスとを前記トランシーバが実行するように制御し、前記第１信号の各データ層は、それぞれ１つのグループの前記第１指示情報と対応関係が存在する。
【００４９】
ここで、前記トランシーバは、更に、少なくとも１つの第１信号リソースを端末に対し構成するための第１構成情報をネットワーク側機器から受信し、前記第１構成情報に基づいて、第２信号を前記ネットワーク側機器に送信する。前記第１指示情報によって指示される少なくとも１つの第１信号リソースは、前記第１構成情報によって構成される第１信号リソースのうちの第１信号リソースである。
【００５０】
ここで、前記トランシーバは、更に、前記第１指示情報によって指示される第１信号リソースに対応する第２信号を送信する際に使用されたアンテナパネルをそれぞれ用いて前記第１信号を送信する。
【００５１】
ここで、複数のアンテナポートを含む第１信号リソースを前記第１構成情報によって１つのみ構成した場合、前記トランシーバは、更に、前記第１構成情報によって構成される第１信号リソースのアンテナポートのグループ分け状況を指示するための第１グループ分け情報を前記ネットワーク側機器から受信する。ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【００５２】
ここで、第１信号リソースを前記第１構成情報によって複数構成した場合、前記トランシーバは、更に、前記第１構成情報によって構成される第１信号リソースのグループ分け状況を指示するための第２グループ分け情報を前記ネットワーク側機器から受信する。ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【００５３】
ここで、異なるグループの前記第１指示情報は、独立して符号化され、又は、前記少なくとも２つのグループの第１指示情報は、ジョイント符号化される。
【００５４】
ここで、異なるグループの前記第１指示情報は、異なる物理層シグナリングによって指示され、又は、前記少なくとも２つのグループの第１指示情報は、同一の物理層シグナリングによって指示される。
【００５５】
ここで、前記第１構成情報によって少なくとも１つの第１信号リソースサブグループを構成し、各第１信号リソースサブグループに少なくとも１つの第１信号リソースが含まれ、ここで、各グループの第１指示情報は、１つの第１信号リソースサブグループに対応する。
【００５６】
ここで、前記トランシーバは、更に、前記少なくとも２つのグループの第１指示情報に対応する第１信号リソースサブグループの第２指示情報を前記ネットワーク側機器から受信し、前記第２指示情報に基づいて、前記第１指示情報に対応する第１信号リソースサブグループを決定する。
【００５７】
ここで、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【００５８】
ここで、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【００５９】
ここで、前記トランシーバは、更に、前記第１信号のデータ層と各グループの第１指示情報との間の対応関係を取得する。
【００６０】
ここで、前記トランシーバは、更に、前記第１信号のデータ層と第１指示情報との間の対応関係情報を前記ネットワーク側機器から受信し、前記プロセッサは、更に、前記対応関係情報に基づいて、前記第１信号のデータ層と前記第１指示情報との間の対応関係を取得する。
【００６１】
ここで、前記対応関係情報は、各グループの第１指示情報に対応するデータ層を、長さＫ（２以上の整数）ビットの情報フィールドによってビットマップ方式で指示すること、各グループの第１指示情報に対応するデータ層の層数を指示すること、各グループの第１表示情報に対応するデータ層の最大層識別子を指示することの少なくとも１つによって指示される。
【００６２】
ここで、前記トランシーバは、更に、前記第１構成情報に含まれる第１信号リソースに対応する送信ビームを指示するためのビーム指示情報を前記ネットワーク側機器から受信し、前記第１構成情報に基づいて、前記ビーム指示情報によって指示される送信ビームを利用して前記第２信号を前記ネットワーク側機器に送信する。
【００６３】
ここで、前記トランシーバは、更に、ビームトレーニング用の複数のグループの上り基準信号リソースである第３信号の送信を前記端末に指示するための第３指示情報をネットワーク側機器から受信し、前記第３指示情報に基づいて、前記端末の複数のアンテナパネルを用いてそれぞれ前記第３信号を送信し、各グループの上り基準信号リソースは、少なくとも１つの上り基準信号リソースを含む。
【００６４】
ここで、各グループの第１指示情報は、前記端末の１つのアンテナパネルに対応する。
【００６５】
本開示の実施例は、コンピュータプログラムが格納されているコンピュータ読み取り可能な記憶媒体を更に提供し、前記コンピュータプログラムがプロセッサによって実行されると、上記信号伝送方法のステップが実現される。
【００６６】
本開示の実施例は、ネットワーク側機器に応用される信号伝送装置を更に提供し、各グループの第１指示情報によって少なくとも１つの第１信号リソースを指示する少なくとも２つのグループの第１指示情報を端末に送信する第２送信モジュールと、前記端末が前記少なくとも２つのグループの第１指示情報の指示に基づいて送信した第１信号であって、データ層を複数含む第１信号を受信する第２受信モジュールとを含み、前記第１信号の各データ層は、それぞれ１つのグループの前記第１指示情報と対応関係が存在する。
【００６７】
本開示の実施例は、ネットワーク側機器を提供し、トランシーバと、メモリと、プロセッサと、前記メモリに格納されて前記プロセッサで実行可能なコンピュータプログラムを含む。ここで、前記プロセッサは、メモリからプログラムを読み取って、各グループの第１指示情報によって少なくとも１つの第１信号リソースを指示する少なくとも２つのグループの第１指示情報を端末に送信するプロセスと、前記端末が前記少なくとも２つのグループの第１指示情報の指示に基づいて送信した第１信号であって、データ層を複数含む第１信号を受信するプロセスとを前記トランシーバが実行するように制御し、前記第１信号の各データ層は、それぞれ１つのグループの前記第１指示情報と対応関係が存在する。
【００６８】
ここで、前記トランシーバは、更に、少なくとも１つの第１信号リソースを端末に対し構成するための第１構成情報を前記端末に送信し、前記端末が前記第１構成情報に基づいて送信した第２信号を受信し、前記第２信号を測定し、前記第２信号に対応する第１信号リソースから少なくとも１つの第１信号リソースを選択する。ここで、前記第１指示情報によって指示される少なくとも１つの第１信号リソースは、前記ネットワーク側機器が選択した第１信号リソースである。
【００６９】
ここで、前記トランシーバは、更に、前記第１指示情報によって指示される第１信号リソースに対応する第２信号を送信する際に使用されたアンテナパネルを前記端末がそれぞれ用いて送信した第１信号を受信する。
【００７０】
ここで、複数のアンテナポートを含む第１信号リソースを前記第１構成情報によって１つのみ構成した場合、前記トランシーバは、更に、前記第１構成情報によって構成される第１信号リソースのアンテナポートのグループ分け状況を指示するための第１グループ分け情報を前記端末に送信する。ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【００７１】
ここで、第１信号リソースを前記第１構成情報によって複数構成した場合、前記トランシーバは、更に、前記第１構成情報によって構成される第１信号リソースのグループ分け状況を指示するための第２グループ分け情報を前記端末に送信する。ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【００７２】
ここで、異なるグループの前記第１指示情報は、独立して符号化され、又は、前記少なくとも２つのグループの第１指示情報は、ジョイント符号化される。
【００７３】
ここで、異なるグループの前記第１指示情報は、異なる物理層シグナリングによって指示され、又は、前記少なくとも２つのグループの第１指示情報は、同一の物理層シグナリングによって指示される。
【００７４】
ここで、前記第１構成情報によって少なくとも１つの第１信号リソースサブグループを構成し、各第１信号リソースサブグループに少なくとも１つの第１信号リソースが含まれ、ここで、各グループの第１指示情報は、１つの第１信号リソースサブグループに対応する。
【００７５】
ここで、前記トランシーバは、更に、前記少なくとも２つのグループの第１指示情報に対応する第１信号リソースサブグループの第２指示情報を前記端末に送信し、前記第２指示情報に基づいて、前記第１指示情報に対応する第１信号リソースサブグループを決定する。
【００７６】
ここで、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【００７７】
ここで、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【００７８】
ここで、前記トランシーバは、更に、前記第１信号のデータ層と第１指示情報との間の対応関係情報を前記端末に送信し、それによって、前記端末が、前記対応関係情報に基づいて、前記第１信号のデータ層と前記第１指示情報との間の対応関係を取得することができる。
【００７９】
ここで、前記対応関係情報は、各グループの第１指示情報に対応するデータ層を、長さＫ（２以上の整数）ビットの情報フィールドによってビットマップ方式で指示すること、各グループの第１指示情報に対応するデータ層の層数を指示すること、各グループの第１表示情報に対応するデータ層の最大層識別子を指示することの少なくとも１つによって指示される。
【００８０】
ここで、前記トランシーバは、更に、前記第１構成情報に含まれる第１信号リソースに対応する送信ビームを指示するためのビーム指示情報を前記端末に送信し、前記端末が前記第１構成情報に基づいて、前記ビーム指示情報によって指示される送信ビームを利用して前記ネットワーク側機器に送信した第２信号を受信する。
【００８１】
ここで、前記トランシーバは、更に、ビームトレーニング用の複数のグループの上り基準信号リソースである第３信号の送信を前記端末に指示するための第３指示情報を前記端末に送信し、前記端末が前記第３指示情報に基づいて端末の複数のアンテナパネルを用いて送信した前記第３信号を受信し、各グループの上り基準信号リソースは、少なくとも１つの上り基準信号リソースを含む。前記プロセッサは、更に、前記第３信号に対応する上り基準信号リソースから少なくとも１つの上り基準信号リソースを選択し、ここで、前記ビーム指示情報によって指示される送信ビームは、前記ネットワーク側機器が選択した少なくとも１つの上り基準信号リソースに対応する送信ビームである。
【００８２】
任意選択で、各グループの第１指示情報は、前記端末の１つのアンテナパネルに対応する。
【００８３】
本開示の実施例は、コンピュータプログラムが格納されているコンピュータ読み取り可能な記憶媒体を更に提供し、前記コンピュータプログラムがプロセッサによって実行されると、上記信号伝送方法のステップが実現される。
【発明の効果】
【００８４】
本開示の実施例に係る信号伝送方法、装置、端末及びネットワーク側機器において、ネットワーク側機器から送信された少なくとも２つのグループの第１指示情報に基づいて、複数のデータ層を含む第１信号を送信し、ここで、前記第１信号の各データ層が１つのグループの前記第１指示情報とそれぞれ対応関係が存在し、且つ各グループの第１指示情報が１つのアンテナパネルに対応する。よって、複数のデータ層を同時に複数のアンテナパネルから伝送するマルチアンテナパネルジョイント伝送を実現する。且つ各アンテナパネルが１つのグループの第１指示情報に対応するため、ネットワーク側機器が各アンテナパネルに対して独立にフォーミングビームを選択することを実現し（第１信号リソースでフォーミングビームを指示する）、よりよいフォーミング利得を取得して上り伝送の性能を向上させる。
【図面の簡単な説明】
【００８５】
【図１】アナログビームフォーミングで中間周波数信号に対して重み付けてフォーミングする原理図である。
【図２】アナログビームフォーミングで無線周波数信号に対して重み付けてフォーミングする原理図である。
【図３】デジタルアナログ複合ビームフォーミングの原理図である。
【図４】本開示の実施例に係る信号伝送方法の工程図その１である。
【図５】本開示の実施例に係る信号伝送方法でマルチアンテナパネルジョイント伝送の原理図である。
【図６】本開示の実施例に係る信号伝送方法の工程図その２である。
【図７】本開示の実施例に係る信号伝送装置の構造図その１である。
【図８】本開示の実施例に係る端末及びネットワーク側機器の構造図である。
【図９】本開示の実施例に係る信号伝送装置の構造図その２である。
【発明を実施するための形態】
【００８６】
本開示の解決しようとする技術課題、技術手段及び利点を明確にするために、以下、図面及び具体的な実施例とともに詳細に記載する。
【００８７】
以下、本開示の実施例の図面とともに、本開示の実施例の技術手段を明確且つ完全に記載する。明らかに、記載する実施例は、本開示の実施例の一部であり、全てではない。本開示の実施例に基づき、当業者が創造性のある作業をしなくても為しえる全ての他の実施例は、いずれも本願の保護範囲に属するものである。
【００８８】
本開示の実施例において、「例示的」又は「例えば」などの用語は、例、例証又は説明を示すことに用いられる。本開示の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００８９】
以下、本開示の実施例について図面を参照して紹介する。本開示の実施例に係る前倒し指示信号の検出方法、伝送方法、端末及びネットワーク側機器は、無線通信システムに応用可能である。該無線通信システムは、５Ｇシステム、又は進化型ロングタームエボリューションｅＬＴＥ（Ｅｖｏｌｖｅｄ  Ｌｏｎｇ  Ｔｅｒｍ  Ｅｖｏｌｕｔｉｏｎ）システム、又はその後の進化型通信システムである。実際の応用では、上記各機器間の接続は、無線接続であってもよいし、有線接続であってもよい。
【００９０】
なお、上記通信システムは、複数の端末を含み、ネットワーク側機器は、複数の端末と通信する（シグナリングやデータの伝送）ことができる。
【００９１】
本開示の実施例に係るネットワーク側機器は、基地局である。該基地局は、通常使用される基地局、ｅＮＢ（ｅｖｏｌｖｅｄ  ｎｏｄｅ  ｂａｓｅ  ｓｔａｔｉｏｎ）、５Ｇシステムにおけるネットワーク側機器（例えばｇＮＢ（ｎｅｘｔ  ｇｅｎｅｒａｔｉｏｎ  ｎｏｄｅ  ｂａｓｅ  ｓｔａｔｉｏｎ）又はＴＲＰ（ｔｒａｎｓｍｉｓｓｉｏｎ  ａｎｄ  ｒｅｃｅｐｔｉｏｎ  ｐｏｉｎｔ））又はセルｃｅｌｌなどの機器である。
【００９２】
本開示の実施例に係る端末は、携帯電話、タブレットパソコン、ノートパソコン、ＵＭＰＣ（Ｕｌｔｒａ−Ｍｏｂｉｌｅ  Ｐｅｒｓｏｎａｌ  Ｃｏｍｐｕｔｅｒ）、ネットブック、ウェアラブルデバイス（Ｗｅａｒａｂｌｅ  Ｄｅｖｉｃｅ）、車載機器又はＰＤＡ（Ｐｅｒｓｏｎａｌ  Ｄｉｇｉｔａｌ  Ａｓｓｉｓｔａｎｔ）などである。なお、本開示の実施例において、端末の具体的な種類を限定しない。
【００９３】
なお、端末は、ユーザ機器ＵＥ（ｕｓｅｒ  ｅｑｕｉｐｍｅｎｔ）、移動局ＭＳ（ｍｏｂｉｌｅ  ｓｔａｔｉｏｎ）、モバイル端末ＭＴ（ｍｏｂｉｌｅ  ｔｅｒｍｉｎａｌ）などとも呼ばれ、ユーザに音声及び／又はデータ通信を提供する機器であり、例えば、無線接続機能を有するハンドヘルド機器、車載機器などである。端末の例としては、携帯電話（ｍｏｂｉｌｅ  ｐｈｏｎｅ）、タブレットパソコン、ノートパソコン、パームトップパソコン、モバイルインターネットデバイスＭＩＤ（ｍｏｂｉｌｅ  ｉｎｔｅｒｎｅｔ  ｄｅｖｉｃｅ）、ウェアラブルデバイス、バーチャルリアリティＶＲ（ｖｉｒｔｕａｌ  ｒｅａｌｉｔｙ）デバイス、拡張現実ＡＲ（ａｕｇｍｅｎｔｅｄ  ｒｅａｌｉｔｙ）デバイス、産業用制御（ｉｎｄｕｓｔｒｉａｌ  ｃｏｎｔｒｏｌ）における無線端末、無人運転（ｓｅｌｆ  ｄｒｉｖｉｎｇ）における無線端末、遠隔手術（ｒｅｍｏｔｅ  ｍｅｄｉｃａｌ  ｓｕｒｇｅｒｙ）における無線端末、スマートグリッド（ｓｍａｒｔ  ｇｒｉｄ）における無線端末、運送安全（ｔｒａｎｓｐｏｒｔａｔｉｏｎ  ｓａｆｅｔｙ）における無線端末、スマート都市（ｓｍａｒｔ  ｃｉｔｙ）における無線端末、スマート家庭（ｓｍａｒｔ  ｈｏｍｅ）における無線端末などがある。
【００９４】
本明細書におけるネットワーク側機器は、無線アクセスネットワークＲＡＮ（Ｒａｄｉｏ  Ａｃｃｅｓｓ  Ｎｅｔｗｏｒｋ）におけるノード（又は機器）であってもよいし、基地局と称されてもよい。ＲＡＮノードの例として、ｇＮＢ、ＴＲＰ（ｔｒａｎｓｍｉｓｓｉｏｎ  ｒｅｃｅｐｔｉｏｎ  ｐｏｉｎｔ）、ｅＮＢ（ｅｖｏｌｖｅｄ  Ｎｏｄｅ  Ｂ）、無線ネットワークコントローラＲＮＣ（ｒａｄｉｏ  ｎｅｔｗｏｒｋ  ｃｏｎｔｒｏｌｌｅｒ）、ＮＢ（Ｎｏｄｅ  Ｂ）、基地局制御器ＢＳＣ（ｂａｓｅ  ｓｔａｔｉｏｎ  ｃｏｎｔｒｏｌｌｅｒ）、基地局送受信局ＢＴＳ（ｂａｓｅ  ｔｒａｎｓｃｅｉｖｅｒ  ｓｔａｔｉｏｎ）、ホーム基地局ＨＮＢ（例えばｈｏｍｅ  ｅｖｏｌｖｅｄ  ＮｏｄｅＢ又はｈｏｍｅ  Ｎｏｄｅ  Ｂ）、ベースバンドユニットＢＢＵ（ｂａｓｅ  ｂａｎｄ  ｕｎｉｔ）、又はＷｉｆｉ（ｗｉｒｅｌｅｓｓ  ｆｉｄｅｌｉｔｙ）アクセスポイントＡＰ（ａｃｃｅｓｓ  ｐｏｉｎｔ）などである。又は、１つのネットワーク構造において、ＲＡＮは、ＣＵ（ｃｅｎｔｒａｌｉｚｅｄ  ｕｎｉｔ）ノードとＤＵ（ｄｉｓｔｒｉｂｕｔｅｄ  ｕｎｉｔ）ノードを含む。
【００９５】
本開示は、３ＧＰＰ  ＮＲシステムを例として各実施例を説明しているが、適用可能な通信システムは、５Ｇシステム又はその進化型システム、他の直交周波数分割多重ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）ベースのシステム、ＤＦＴ−Ｓ−ＯＦＤＭ（ＤＦＴ−Ｓｐｒｅａｄ  ＯＦＤＭ）ベースのシステムなどを含むが、それらに限定されない。
【００９６】
図４に示すように、本開示の実施例は、端末に応用される信号伝送方法を提供し、各グループの第１指示情報によって少なくとも１つの第１信号リソースを指示する少なくとも２つのグループの第１指示情報をネットワーク側機器から受信するステップ４１と、データ層を複数含む第１信号を、前記少なくとも２つのグループの第１指示情報の指示に基づいて送信するステップ４２とを含み、前記第１信号の各データ層は、それぞれ１つのグループの前記第１指示情報と対応関係が存在する。
【００９７】
本開示の実施例において、各グループの第１指示情報は、それぞれ１つのアンテナパネルに対応し、即ち、前記第１信号の各データ層は、それぞれ１つのアンテナパネルに対応し、第１信号の複数のデータ層は、少なくとも２つのアンテナパネルにマッピングされてジョイント伝送される。
【００９８】
一実施例として、該第１信号は、物理上り共有チャネルＰＵＳＣＨである。
【００９９】
例えば、図５に示すように、２枚のアンテナパネル（それぞれ、アンテナパネル１、アンテナパネル２）を含む端末のＰＵＳＣＨの伝送図である。ここで、ＰＵＳＣＨは、Ｌ個のデータ層を含み、Ｌは、２以上の整数である。図５に示すように、ＰＵＳＣＨのデータ層１，…，ｋは、アンテナパネル１によって送信され、ＰＵＳＣＨのデータ層ｋ＋１，…，Ｌは、アンテナパネル２によって送信される。即ち、ＰＵＳＣＨのデータ層１，…，ｋは、いずれもアンテナパネル１に対応し、ＰＵＳＣＨのデータ層ｋ＋１，…，Ｌは、いずれもアンテナパネル２に対応する。言い換えれば、ＰＵＳＣＨのデータ層１、…、ｋは、いずれもグループ１の第１指示情報（該グループ１の第１指示情報は、少なくとも１つの信号リソースをアンテナパネル１に指示する）と対応関係が存在し、ＰＵＳＣＨのデータ層ｋ＋１、…、Ｌは、いずれもグループ２の第１指示情報（該グループ２の第１指示情報は、少なくとも１つの信号リソースをアンテナパネル２に指示する）と対応関係が存在する。
【０１００】
一実施例として、ステップ４１の前に、前記方法は、少なくとも１つの第１信号リソースを端末に対し構成するための第１構成情報をネットワーク側機器から受信するステップと、前記第１構成情報に基づいて、第２信号を前記ネットワーク側機器に送信するステップとを更に含み、前記第１指示情報によって指示される少なくとも１つの第１信号リソースは、前記第１構成情報によって構成される第１信号リソースから前記ネットワーク側機器が選択した少なくとも１つの第１信号リソースである。
【０１０１】
一実施例として、ネットワーク側機器から送信される第１指示情報によって指示される第１信号リソースは、ネットワーク側機器から送信される第１構成情報によって構成される第１信号リソースとは対応関係を有する。例えば、第１構成情報によって特定種類のＳＲＳ（例えばコードブックの上り伝送用のＳＲＳ又は非周期的ＳＲＳ）を、他の種類のＳＲＳが構成されるか否かにかかわらずに構成すると、第１指示情報によって指示される第１信号リソースは、該特定種類のＳＲＳである。
【０１０２】
なお、該第２信号は、具体的には、チャネル状態情報（ＣＳＩ）取得用のサウンディング基準信号（ＳＲＳ）である（３ＧＰＰ  ＮＲシステム関連プロトコルを例にとると、コードブックに基づく上り伝送モードのＣＳＩ取得用のＳＲＳリソースの構成方式として、ＳＲＳリソースセットに対応する上位層パラメータＳＲＳ−ＲｅｓｏｕｒｃｅＳｅｔにおけるｕｓａｇｅが「ｃｏｄｅｂｏｏｋ」に構成されている場合、そのＳＲＳリソースセットは、コードブックに基づく上り伝送モードのＣＳＩ取得用のＳＲＳリソースセットである。ノンコードブックの上り伝送モードのＣＳＩ取得用のＳＲＳリソースの構成方式として、ＳＲＳリソースセットに対応する上位層パラメータＳＲＳ−ＲｅｓｏｕｒｃｅＳｅｔにおけるｕｓａｇｅが「ｎｏｎＣｏｄｅｂｏｏｋ」に構成されている場合、そのＳＲＳリソースセットは、ノンコードブックの上り伝送モードのＣＳＩ取得用のＳＲＳリソースセットである）。端末がネットワーク側機器に第２信号を送信した後、ネットワーク側機器は、前記第２信号を測定し、前記第２信号に対応する第１信号リソースから少なくとも１つの第１信号リソースを選択し、選択した第１信号リソースを前記第１指示情報によって端末に通知する。
【０１０３】
対応的に、ステップ４２は、前記第１指示情報によって指示される第１信号リソースに対応する第２信号を送信する際に使用されたアンテナパネルをそれぞれ用いて前記第１信号を送信することを含む。
【０１０４】
前記第１信号を前記少なくとも２つのグループの第１指示情報の指示に基づいて送信することは、前記少なくとも２つのグループの第１指示情報によって指示される第１信号リソースに対応する第２信号を送信する際に使用されたアンテナパネルを用いて前記第１信号を送信することを含む。
【０１０５】
簡単に言うと、第１信号を送信するアンテナパネルは、前記第１指示情報によって指示される第１信号リソースに対応する第２信号を送信する際に使用されたアンテナパネルである。
【０１０６】
なお、上記の「前記第１構成情報に基づいて、第２信号を前記ネットワーク側機器に送信すること」は、少なくとも以下の２つのケースを含む。
周期的な第１信号リソース（具体的にはＳＲＳリソース）の場合、端末は、前記第１構成情報に基づいて周期的に送信することができる。
非周期的又は半持続的な第１信号リソース（具体的にはＳＲＳリソース）の場合、ネットワーク側機器からトリガーシグナリングを送信する必要があり、端末からの送信は、前記第１構成情報及びトリガーシグナリングのトリガーに基づいて初めて実現される。
【０１０７】
なお、本開示の実施例において、第１構成情報によって第１信号リソースを構成する方式は、少なくとも以下の２種類の方式を含む。
【０１０８】
方式１：複数のアンテナポートを含む第１信号リソースを前記第１構成情報によって１つのみ構成した場合、ステップ４２の前に、前記方法は、前記第１構成情報によって構成される第１信号リソースのアンテナポートのグループ分け状況を指示するための第１グループ分け情報を前記ネットワーク側機器から受信することを更に含み、ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【０１０９】
該第１グループ分け情報は、第１構成情報に含まれてもよいし、単独で送信されてもよいが、ここでは具体的に限定しない。
【０１１０】
簡単に言うと、ネットワーク側機器は、端末に対して１つの第１信号リソース（具体的にはＳＲＳリソース）を構成する。該第１信号リソースは、複数のアンテナポートを含む。ネットワーク側機器は、該第１信号リソースに基づいて１つのＣＳＩを取得する。例えば、ネットワーク側機器が１つのクロスパネル（ｃｒｏｓｓ−ｐａｎｅｌ）のＳＲＳリソースを構成し、ＵＥがＳＲＳリソースに対応するＳＲＳを送信する場合、異なるグループのアンテナポート（具体的にはＳＲＳポート）は、異なるアンテナパネルにマッピングされ、ネットワーク側機器は、該ＳＲＳに基づいて１つのＣＳＩを取得する。
【０１１１】
方式２：第１信号リソースを前記第１構成情報によって複数構成した場合、ステップ４２の前に、前記方法は、前記第１構成情報によって構成される第１信号リソースのグループ分け状況を指示するための第２グループ分け情報を前記ネットワーク側機器から受信することを更に含み、ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【０１１２】
同様に、該第２グループ分け情報は、第１構成情報に含まれてもよいし、単独で送信されてもよいが、ここでは具体的に限定しない。
【０１１３】
簡単に言うと、ネットワーク側機器は、端末に対して複数の第１信号リソース群を構成し、各第１信号リソース群は、少なくとも１つの第１信号リソース（具体的にはＳＲＳリソース）を含む。又は、ネットワーク側機器は、端末に対し１つの第１信号リソース群を構成し、該第１信号リソース群は、複数の第１信号リソースを含む。任意選択で、１つの第１信号リソース群は、１つのＳＲＳリソースセットである。
【０１１４】
ネットワーク側機器は、各第１信号リソースに対応する第１信号について、ユニキャストの仮定に基づいて（即ち、ネットワーク側機器は、上り伝送の際に、他の第１信号リソースを考慮せずに、この第１信号リソースに対応するアンテナのみを使用して伝送を行うと仮定する）、この第１信号リソースに対応するＣＳＩを取得する。又は、ネットワーク側機器は、複数の第１信号を結合してジョイントＣＳＩを取得する（即ち、ネットワーク側機器は、端末が複数の第１信号リソースに対応するアンテナを用いて上り伝送を行うことができると仮定する）。
【０１１５】
例えば、ネットワーク側機器は、各アンテナパネルに対して独立して１つのＳＲＳリソース（ｐｅｒ−ｐａｎｅｌ  ＳＲＳ  ｒｅｓｏｕｒｃｅ）を構成する。ネットワーク側機器は、各アンテナパネルにそれぞれ用いられるＳＲＳによって、ユニキャストの仮定の下で、各アンテナパネルのＣＳＩ（ｐｅｒ−ｐａｎｅｌ  ＣＳＩ）をそれぞれ取得する。又は、ネットワーク側機器は、クロスアンテナパネル（ｃｒｏｓｓ−ｐａｎｅｌ）接続のＳＲＳによって、ジョイント伝送の仮定の下で、クロスアンテナパネルのＣＳＩ（例えば、複数のパネルに対応する１つのクロスパネルＣＳＩ）を取得する。
【０１１６】
一実施例として、上記異なるグループの前記第１指示情報は、独立して符号化され、又は、前記少なくとも２つのグループの第１指示情報は、ジョイント符号化される
【０１１７】
本開示のいくつかの実施例において、前記少なくとも２つのグループの第１指示情報がジョイント符号化される際に、前記少なくとも２つのグループの第１指示情報は、同一の情報フィールドで指示され、該情報フィールドの１つの状態は、同時に全てのグループの第１指示情報を指示する。ネットワーク側機器から２つのグループの第１指示情報を送信し、各グループの第１指示情報が１つの第１信号リソース群のＳＲＳリソースを指示し、各第１信号リソース群に２つのＳＲＳリソースが含まれ、２つのグループの第１指示情報が２ビットでジョイント符号化されることを例にとると、下記の１つのジョイント符号化方式を用いることができる。
【０１１８】
【表１】
2021534675.tif 000009
【０１１９】
ここで、ＳＲＩ＝０は、対応する第１信号リソース群内の１番目のＳＲＳリソースを指示し、ＳＲＩ＝１は、対応する第１信号リソース群内の２番目のＳＲＳリソースを指示する。即ち、２列目のＳＲＩは、グループ１の第１指示情報に対応し、３列目のＳＲＩは、グループ２の第１指示情報に対応する。すると、同一のビットフィールドのジョイント符号化情報を共用することによって、２つのグループの第１指示情報を指示する。
【０１２０】
少なくとも２つのグループの第１指示情報のジョイント符号化の別の実施例として、少なくとも２つのグループの第１指示情報は、同一の情報フィールドで指示されるが、各グループの第１指示情報は、それぞれ独立したビットを用いる。ネットワーク側機器から２つのグループの第１指示情報を送信し、ここで各グループの第１指示情報が１つの第１信号リソース群のＳＲＳリソースを指示し、各第１信号リソース群に２つのＳＲＳリソースが含まれることを例にとると、下記の少なくとも２つのグループの第１指示情報のジョイント符号化方式を用いることができる。
【０１２１】
【表２】
2021534675.tif 000010
【０１２２】
ここで、該ビットフィールドの左から１番目のビットは、グループ１の第１指示情報を指示し、左から２番目のビットは、グループ２の第１指示情報を指示し、該２つのビットによって、ジョイント符号化の情報フィールドを構成する。本例において、テーブルの中のＳＲＩ＝０は、対応する第１信号リソース群内の１番目のＳＲＳリソースを指示し、ＳＲＩ＝１は、対応する第１信号リソース群内の２番目のＳＲＳリソースを指示し、２列目のＳＲＩは、グループ１の第１信号リソース群に対応し、３列目のＳＲＩは、グループ２の第１信号リソース群に対応する。
【０１２３】
異なるグループの前記第１指示情報が独立して符号化される場合、異なるグループの前記第１指示情報は、それぞれ異なる情報フィールドに対応する。
【０１２４】
別の実施例として、異なるグループの前記第１指示情報は、異なる物理層シグナリングによって指示される。即ち、複数のグループの第１指示情報のそれぞれを、複数の独立したＬ１シグナリングによって端末に指示する。例えば、複数のＰＤＣＣＨによって、複数のグループの第１指示情報を端末にそれぞれ指示する。
【０１２５】
又は、前記少なくとも２つのグループの第１表示情報は、同一の物理層シグナリングによって指示され、即ち、１つのＬ１シグナリングで複数のグループの第１指示情報を端末に指示する。例えば、１つの物理下り制御チャネルＰＤＣＣＨ（該ＰＤＣＣＨは、ＰＵＳＣＨをスケジューリングする上りグラントが搬送されるＰＤＣＣＨである）によって複数のグループの第１指示情報を端末に指示する。
【０１２６】
なお、異なるシグナリングによって指示する方式は、同一のシグナリングによって指示する方式と比較して、より大きな遅延及びオーバーヘッドをもたらす可能性がある。
【０１２７】
更に、本開示の上記実施例において、前記第１構成情報によって少なくとも１つの第１信号リソースサブグループを構成し、各第１信号リソースサブグループに少なくとも１つの第１信号リソースが含まれ、ここで、各グループの第１指示情報は、１つの第１信号リソースサブグループに対応する。即ち、第１構成情報によって構成される複数の第１信号リソースは、複数の第１信号リソースサブグループに分けられる。任意選択で、１つの第１信号リソースサブグループは、１つのＳＲＳリソースセット（例えば、３ＧＰＰ  ＮＲシステムにおけるＳＲＳ  ｒｅｓｏｕｒｃｅ  ｓｅｔ）である。
【０１２８】
上記例を踏まえ、本開示の上記実施例において、前記方法は、前記少なくとも２つのグループの第１指示情報に対応する第１信号リソースサブグループの第２指示情報を前記ネットワーク側機器から受信することと、前記第２指示情報に基づいて、前記第１指示情報に対応する第１信号リソースサブグループを決定することとを更に含む。
【０１２９】
例えば、ネットワーク側機器が端末に対してＮ個のＳＲＳリソースセットを構成するが、ネットワーク側機器がＭ（Ｍ＜Ｎ）個の第１指示情報のみを指示する場合、ネットワーク側機器は、第２指示情報を端末に送信し、端末は、ネットワーク側機器によって指示されるＭ個の第１指示情報が、ネットワーク側機器によって構成されるＮ個のＳＲＳリソースセットのうちのどのＭ個に対応するかを、第２指示情報に基づいて決定することができる。
【０１３０】
端末が計Ｎ１個のアンテナパネルを有し、そのうちの１つのサブセット（例えば、Ｎ（Ｎ≦Ｎ１）個のアンテナパネル）を使用して第１信号を伝送するように基地局から端末に指示する。具体的には、選択されたアンテナパネルのインデックスは、基地局からシグナリングによって指示される。又は、選択されたアンテナパネルのインデックスは、シグナリングによって指示されるのではなく、第１指示情報（具体的にはＳＲＩ）の値によって暗黙的に指示される。
【０１３１】
一実施例として、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。
【０１３２】
例えば、ネットワーク側機器は、１つのＳＲＳリソースセット（上記の１つの第１信号リソースサブグループに相当）を構成し、その構成情報を端末に指示する。端末は、ネットワーク側機器から取得した構成情報に基づいて、アンテナパネルｎを介してＳＲＳリソースセットを送信する（具体的には、ＳＲＳリソースセット内の全てのＳＲＳリソースを送信する）。同一のＳＲＳリソースセット内の異なるＳＲＳリソースは、同じ又は異なるアナログビーム、例えばネットワーク側機器がアンテナパネルｎに対して決定した好ましい送信ビームでフォーミングされる。どのアナログビームを用いてＳＲＳのビームフォーミングと送信を行うかは、ネットワーク側機器によって、例えば半静的構成又はＬ１の動的シグナリングによって制御される。ネットワーク側機器は、ｐａｎｅｌ  ｎを介して送信されたＳＲＳを受信して測定し、その中から１つのＳＲＳリソースを選択し、選択したＳＲＳリソースを１つの指示シグナリング（第１指示情報）で端末に指示する。例えば、ネットワーク側機器が選択したＳＲＳリソースは、ＳＲＩ（ＳＲＳリソース指示）で指示される。
【０１３３】
別の実施例として、前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【０１３４】
例えば、ネットワーク側機器は、複数のＳＲＳリソースセット（複数の第１信号リソースサブグループに相当）を構成し、各ＳＲＳリソースセットに１つのＳＲＳリソースを含む。基地局は、その構成情報を端末に指示する。前記構成情報には、ＳＲＳリソースセットとアンテナパネルとの対応関係情報が含まれてもよい。ネットワーク側機器は、１つ又は複数のＳＲＳリソースセットを送信するように端末に対して構成又は指示する。端末は、基地局の指示情報に基づいて、１又は複数のＳＲＳリソースセットを送信する。同じＳＲＳリソースセット内の異なるＳＲＳリソースは、同じ又は異なるアナログビーム、例えば基地局がアンテナパネルに対して決定した好ましい送信ビームでフォーミングされる。どのアナログビームを用いてＳＲＳのビームフォーミングと送信を行うかは、基地局によって、例えば半静的構成又はＬ１の動的シグナリングによって制御される。基地局は、端末が送信したＳＲＳリソースセットを受信して測定し、その中から１つのＳＲＳリソースセットを選択し、選択したＳＲＳリソースセットを１つの指示シグナリング（第１指示情報）で端末に指示する。例えば、ネットワーク側機器が選択したＳＲＳリソースセットは、ＳＲＩ（ＳＲＳリソース指示）で指示される。また、例えば、ネットワーク機器は、ネットワーク側機器が選択したＳＲＳリソースセットを、ＤＣＩにおけるＳＲＳリソースセット指示フィールドで端末に指示する。
【０１３５】
上記方式に基づいて、本開示の実施例において、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【０１３６】
例えば、ローカルインデックス指示は、以下である。端末が３つのアンテナパネルを含み、各ＳＲＳリソースセット内のＳＲＳリソースの番号が、それぞれ、ＳＲＳリソースセット１：［１  ２…８］、ＳＲＳリソースセット２：［１７…２４］、ＳＲＳリソースセット３：［２５…３２］であるとする。そして、各ＳＲＳリソースセット（アンテナパネル）に対応するＳＲＩ指示［ＳＲＩ１，ＳＲＩ２，…ＳＲＩ  Ｎ１］＝［１  １  １］は、ネットワーク側機器が各ＳＲＳリソースセットにおいて最初のＳＲＳリソースを指示することを示す。
【０１３７】
また、例えば、グローバルインデックス指示は、以下である。端末が３つのアンテナパネルを含み、各ＳＲＳリソースセット内のＳＲＳリソースの番号が、それぞれ、ＳＲＳリソースセット１：［１  ２…８］、ＳＲＳリソースセット２：［１７…２４］、ＳＲＳリソースセット３：［２５…３２］であるとする。そして、［ＳＲＩ１，ＳＲＩ２，…ＳＲＩ  Ｎ１］＝［１  ９  １７］は、ネットワーク側機器が３つのＳＲＳリソースセットにおいて指示するＳＲＳリソースが、それぞれ、ＣＳＩ取得用に構成されたＳＲＳリソースのうち、１、９、１７番目のＳＲＳリソースであることを示し、即ち、ネットワーク側機器が各ＳＲＳリソースセットにおいて最初のＳＲＳリソースを指示することを示す。
【０１３８】
また、例えば、絶対インデックス指示は、以下である。端末が３つのアンテナパネルを含み、各ＳＲＳリソースセット内のＳＲＳリソースの番号が、それぞれ、ＳＲＳリソースセット１：［１  ２…８］、ＳＲＳリソースセット２：［１７…２４］、ＳＲＳリソースセット３：［２５…３２］であるとする。そして、［ＳＲＩ１，ＳＲＩ２，…ＳＲＩＮ１］＝［１  １７  ２５］は、ネットワーク側機器が各ＳＲＳリソースセットにおいて最初のＳＲＳリソースを指示することを示す。
【０１３９】
更に、本開示の上記実施例において、ステップ４２の前に、前記方法は、前記第１信号のデータ層と各グループの第１指示情報との間の対応関係を取得することを更に含む。
【０１４０】
具体的には、前記前記第１信号のデータ層と各グループの第１指示情報との間の対応関係を取得することは、前記第１信号のデータ層と第１指示情報との間の対応関係情報を前記ネットワーク側機器から受信することと、前記対応関係情報に基づいて、前記第１信号のデータ層と前記第１指示情報との間の対応関係を取得することとを含む。
【０１４１】
任意選択で、前記対応関係情報は、以下の方式のうちの少なくとも１つの方式で指示される。
方式１：各グループの第１指示情報に対応するデータ層を、長さＫビットの情報フィールドによってビットマップ（ｂｉｔｍａｐ）方式で指示する。Ｋは、２以上の整数であり、非動的な値（例えば固定値や半静的な値）であり、且つＫの値は、予め端末に既知である。例えば、ビット値１（又は０）は、対応する層を、ＳＲＩによって指示されるＳＲＳと同じ伝送特性（例えば、使用されるアンテナパネル及びビーム）で伝送することを指示する。Ｋは、伝送ランクＬ以上（Ｌは、アンテナパネルの数）である。また、例えば、Ｋは、端末がサポートする最大のＰＵＳＣＨ伝送レイヤ数、又は基地局が指示するＰＵＳＣＨの最大伝送レイヤ数である。全てのＳＲＩに対応するビットマップ（ｂｉｔｍａｐ）における１（又は０）の個数の合計は、Ｌに等しくなるべきである。
【０１４２】
方式２：各グループの第１指示情報に対応するデータ層の層数Ｓｎを指示し、その層数は、第１指示情報とジョイント符号化されてもよいし、独立に符号化されてもよい。例えば、ｎ＝１である場合、ＳＲＩｎは、層１〜Ｓ１に対応する。ｎ＞１である場合、ＳＲＩｎは、層Ｓ＋１，…Ｓ＋Ｓｎに対応し、ここでＳ＝
【数７】
2021534675.tif 000011
である。
【０１４３】
方式３：各グループの第１指示情報に対応するデータ層の最大層識別子を指示し、その最大層識別子は、第１指示情報とジョイント符号化されてもよいし、独立に符号化されてもよい。例えば、ｎ＝１である場合、ＳＲＩｎは、層１〜Ｓ１に対応し、ｎ＞１である場合、ＳＲＩｎは、層Ｓｎ−１＋１，…Ｓｎに対応する。
【０１４４】
なお、方式２及び方式３は、方式１よりもオーバーヘッドが少なくて済むというメリットがあるが、同一のＳＲＩに対応するＰＵＳＣＨレイヤが連続でなければならないことを求める。これは、スケジューリングの制約を増加させる。よって、実際の応用では、具体的な状況に応じて、使用する方式を決める。
【０１４５】
任意選択で、前記前記第１信号のデータ層と各グループの第１指示情報との間の対応関係を取得することは、前記第１信号のデータ層と端末の送信パネルとの間の対応関係情報を前記ネットワーク側機器から受信することと、前記対応関係情報に基づいて、前記第１信号のデータ層と端末の送信パネルとの間の対応関係を取得することとを含み、ここで、端末のアンテナパネルと第１指示情報との間に一対一の対応関係が存在する。
【０１４６】
任意選択で、前記対応関係情報は、以下の方式のうちの少なくとも１つの方式で指示される。
方式１：各アンテナパネルに対応するデータ層を、長さＫビットの情報フィールドによってビットマップ（ｂｉｔｍａｐ）方式で指示する。Ｋは、２以上の整数であり、非動的な値（例えば固定値や半静的な値）であり、且つＫの値は、予め端末に既知である。例えば、ビット値１（又は０）は、対応する層を、ＳＲＩによって指示されるＳＲＳと同じ伝送特性（例えば、使用されるアンテナパネル及びビーム）で伝送することを指示する。Ｋは、伝送ランクＬ以上（Ｌは、アンテナパネルの数）である。また、例えば、Ｋは、端末がサポートする最大のＰＵＳＣＨ伝送レイヤ数、又は基地局が指示するＰＵＳＣＨの最大伝送レイヤ数である。全てのＳＲＩに対応するビットマップ（ｂｉｔｍａｐ）における１（又は０）の個数の合計は、Ｌに等しくなるべきである。
【０１４７】
方式２：各アンテナパネルに対応するデータ層の層数Ｓｎを指示し、その層数は、第１指示情報とジョイント符号化されてもよいし、独立に符号化されてもよい。例えば、ｎ＝１である場合、ＳＲＩｎは、層１〜Ｓ１に対応する。ｎ＞１である場合、ＳＲＩｎは、層Ｓ＋１，…Ｓ＋Ｓｎに対応し、ここでＳ＝
【数８】
2021534675.tif 000012
である。
【０１４８】
方式３：各アンテナパネルに対応するデータ層の最大層識別子を指示し、その最大層識別子は、第１指示情報とジョイント符号化されてもよいし、独立に符号化されてもよい。例えば、ｎ＝１である場合、ＳＲＩｎは、層１〜Ｓ１に対応し、ｎ＞１である場合、ＳＲＩｎは、層Ｓｎ−１＋１，…Ｓｎに対応する。
【０１４９】
なお、方式２及び方式３は、方式１よりもオーバーヘッドが少なくて済むというメリットがあるが、同一のＳＲＩに対応するＰＵＳＣＨレイヤが連続でなければならないことを求める。これは、スケジューリングの制約を増加させる。よって、実際の応用では、具体的な状況に応じて、使用する方式を決める。
【０１５０】
更に、本開示の上記実施例において、前記第１構成情報に基づいて第２信号を前記ネットワーク側機器に送信する前に、前記方法は、前記第１構成情報に含まれる第１信号リソースに対応する送信ビームを指示するためのビーム指示情報を前記ネットワーク側機器から受信するステップを更に含み、前記前記第１構成情報に基づいて第２信号を前記ネットワーク側機器に送信することは、前記第１構成情報に基づいて、前記ビーム指示情報によって指示される送信ビームを利用して前記第２信号を前記ネットワーク側機器に送信することを含む。
【０１５１】
即ち、第２信号（第２信号は、ＣＳＩ取得用のＳＲＳである）を送信する前に、端末は、各パネルの好ましい送信ビームを決定する必要がある。
【０１５２】
対応して、ビーム指示情報を前記ネットワーク側機器から受信するステップの前に、前記方法は、ビームトレーニング用の複数のグループの上り基準信号リソースである第３信号の送信を前記端末に指示するための第３指示情報をネットワーク側機器から受信することと、前記第３指示情報に基づいて、前記端末の複数のアンテナパネルを用いてそれぞれ前記第３信号を送信することとを更に含み、各グループの上り基準信号リソースは、少なくとも１つの上り基準信号リソースを含む。
【０１５３】
例えば、各アンテナパネルに対し、以下のプロセスを繰り返す。以下、パネルｎを例として記載する。ネットワーク側機器は、１つのＳＲＳリソースセットを構成し、その構成情報をＵＥに指示する。
【０１５４】
ネットワーク側機器から受信した構成情報に基づいて、端末は、ＳＲＳリソースセット（の中の全てのＳＲＳリソース）をアンテナパネルｎを介して送信する。同一のＳＲＳリソースセット内の異なるＳＲＳリソースは、同じ又は異なるアナログビームでビームフォーミングされる。任意選択で、端末は、同じアナログビームを使用するか否か、及び／又は、使用するアナログビームを自ら決定し、これは、基地局とって透明である。もちろん、本開示は、ＳＲＳを送信するアナログビームが基地局にとって非透明なケースにも適用する。
【０１５５】
基地局は、各アンテナパネルについて、好ましいアナログ送信ビームを決定する。ｎ番目のアンテナパネルの好ましいビームは、［ＢＭｏｐｔ，ｎ］で示され、基地局によって選択された好ましいＳＲＳを伝送する際に使用された送信ビームに対応する。基地局は、好ましいアナログ送信ビームをある規則で決定し、この規則は、異なるＳＲＳリソース上の信号対干渉プラス雑音比ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）／参照信号受信電力ＲＳＲＰ（Ｒｅｆｅｒｅｎｃｅ  Ｓｉｇｎａｌ  Ｒｅｃｅｉｖｉｎｇ  Ｐｏｗｅｒ）／参照信号受信品質ＲＳＲＱ（Ｒｅｆｅｒｅｎｃｅ  Ｓｉｇｎａｌ  Ｒｅｃｅｉｖｉｎｇ  Ｑｕａｌｉｔｙ）測定を含むが、これらに限定されない。基地局が決定したｎ番目のアンテナパネルの好ましいＳＲＳリソースを［ＳＲＳｏｐｔ，ｎ］で示すとする。
【０１５６】
この過程で、基地局は、同様に好ましい受信ビームを決定する。好ましい受信ビームについては、各アンテナパネルで単一パネル伝送を行ってそれぞれ決定されるとするが、各送信パネルに対して１つの好ましい受信ビームが存在する。この場合、異なるＳＲＳリソースセットは、重ならない時間／周波数リソースで伝送される。任意選択で、基地局は、全てのパネルに同時に用いる受信ビームを決定する。又は、異なるＳＲＳリソースセット（異なるアンテナパネルに対応する）は、同じ時間／周波数リソースで送信される。
【０１５７】
なお、任意選択で、基地局は、各アンテナパネルに対して複数の送信ビームを選択し、例えば、［ＳＲＳｏｐｔ，ｎ，１，ＳＲＳｏｐｔ，ｎ，２，…］は、パネルｎの最適、２番目に好ましい、…送信ビームに対応する。
【０１５８】
以上、本開示の上記実施において、ネットワーク側機器から送信された少なくとも２つのグループの第１指示情報に基づいて、複数のデータ層を含む第１信号を送信し、ここで、前記第１信号の各データ層が１つのグループの前記第１指示情報とそれぞれ対応関係が存在し、且つ各グループの第１指示情報が１つのアンテナパネルに対応する。よって、複数のデータ層を同時に複数のアンテナパネルから伝送するマルチアンテナパネルジョイント伝送を実現する。且つ各アンテナパネルが１つのグループの第１指示情報に対応するため、ネットワーク側機器が各アンテナパネルに対して独立にフォーミングビームを選択することを実現し（第１信号リソースでフォーミングビームを指示する）、よりよいフォーミング利得を取得して上り伝送の性能を向上させる。
【０１５９】
図６に示すように、本開示の実施例は、ネットワーク側機器に応用される信号伝送方法を提供し、各グループの第１指示情報によって少なくとも１つの第１信号リソースを指示する少なくとも２つのグループの第１指示情報を端末に送信するステップ６１と、前記端末が前記少なくとも２つのグループの第１指示情報の指示に基づいて送信した第１信号であって、データ層を複数含む第１信号を受信するステップ６２とを含み、前記第１信号の各データ層は、それぞれ１つのグループの前記第１指示情報と対応関係が存在する。
【０１６０】
本開示の実施例において、各グループの第１指示情報は、それぞれ１つのアンテナパネルに対応し、即ち、前記第１信号の各データ層は、それぞれ１つのアンテナパネルに対応し、第１信号の複数のデータ層は、少なくとも２つのアンテナパネルにマッピングされてジョイント伝送される。
【０１６１】
一実施例として、該第１信号は、物理上り共有チャネルＰＵＳＣＨである。
【０１６２】
例えば、図５に示すように、２枚のアンテナパネル（それぞれ、アンテナパネル１、アンテナパネル２）を含む端末のＰＵＳＣＨの伝送図である。ここで、ＰＵＳＣＨは、Ｌ個のデータ層を含み、Ｌは、２以上の整数である。図５に示すように、ＰＵＳＣＨのデータ層１，…，ｋは、アンテナパネル１によって送信され、ＰＵＳＣＨのデータ層ｋ＋１，…，Ｌは、アンテナパネル２によって送信される。即ち、ＰＵＳＣＨのデータ層１，…，ｋは、いずれもアンテナパネル１に対応し、ＰＵＳＣＨのデータ層ｋ＋１，…，Ｌは、いずれもアンテナパネル２に対応する。言い換えれば、ＰＵＳＣＨのデータ層１、…、ｋは、いずれもグループ１の第１指示情報（該グループ１の第１指示情報は、少なくとも１つの信号リソースをアンテナパネル１に指示する）と対応関係が存在し、ＰＵＳＣＨのデータ層ｋ＋１、…、Ｌは、いずれもグループ２の第１指示情報（該グループ２の第１指示情報は、少なくとも１つの信号リソースをアンテナパネル２に指示する）と対応関係が存在する。
【０１６３】
一実施例として、ステップ６１の前に、前記方法は、少なくとも１つの第１信号リソースを端末に対し構成するための第１構成情報を前記端末に送信するステップと、前記端末が前記第１構成情報に基づいて送信した第２信号を受信するステップと、前記第２信号を測定し、前記第２信号に対応する第１信号リソースから少なくとも１つの第１信号リソースを選択するステップとを更に含み、ここで、前記第１指示情報によって指示される少なくとも１つの第１信号リソースは、前記ネットワーク側機器が選択した第１信号リソースである。
【０１６４】
一実施例として、ネットワーク側機器から送信される第１指示情報によって指示される第１信号リソースは、ネットワーク側機器から送信される第１構成情報によって構成される第１信号リソースとは対応関係を有する。例えば、第１構成情報によって特定種類のＳＲＳ（例えばコードブックの上り伝送用のＳＲＳ又は非周期的ＳＲＳ）を、他の種類のＳＲＳが構成されるか否かにかかわらずに構成すると、第１指示情報によって指示される第１信号リソースは、該特定種類のＳＲＳである。
【０１６５】
なお、該第２信号は、具体的には、チャネル状態情報（ＣＳＩ）取得用のサウンディング基準信号（ＳＲＳ）である。端末がネットワーク側機器に第２信号を送信した後、ネットワーク側機器は、前記第２信号を測定し、前記第２信号に対応する第１信号リソースから少なくとも１つの第１信号リソースを選択し、選択した第１信号リソースを前記第１指示情報によって端末に通知する。
【０１６６】
対応的に、ステップ６２は、前記第１指示情報によって指示される第１信号リソースに対応する第２信号を送信する際に使用されたアンテナパネルを前記端末がそれぞれ用いて送信した第１信号を受信することを含む。
【０１６７】
簡単に言うと、第１信号を送信するアンテナパネルは、前記第１指示情報によって指示される第１信号リソースに対応する第２信号を送信する際に使用されたアンテナパネルである。
【０１６８】
なお、上記の「前記端末が前記第１構成情報に基づいて送信した第２信号を受信すること」は、少なくとも以下の２つのケースを含む。
周期的な第１信号リソース（具体的にはＳＲＳリソース）の場合、端末は、前記第１構成情報に基づいて周期的に送信することができる。
非周期的又は半持続的な第１信号リソース（具体的にはＳＲＳリソース）の場合、ネットワーク側機器からトリガーシグナリングを送信する必要があり、端末からの送信は、前記第１構成情報及びトリガーシグナリングのトリガーに基づいて実現される。
【０１６９】
なお、本開示の実施例において、第１構成情報によって第１信号リソースを構成する方式は、少なくとも以下の２種類の方式を含む。
【０１７０】
方式１：複数のアンテナポートを含む第１信号リソースを前記第１構成情報によって１つのみ構成した場合、ステップ６２の前に、前記方法は、前記第１構成情報によって構成される第１信号リソースのアンテナポートのグループ分け状況を指示するための第１グループ分け情報を前記端末に送信することを更に含み、ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【０１７１】
該第１グループ分け情報は、第１構成情報に含まれてもよいし、単独で送信されてもよいが、ここでは具体的に限定しない。
【０１７２】
簡単に言うと、ネットワーク側機器は、端末に対して１つの第１信号リソース（具体的にはＳＲＳリソース）を構成し、該第１信号リソースは、複数のアンテナポートを含む。ネットワーク側機器は、該第１信号リソースに基づいて１つのＣＳＩを取得する。例えば、ネットワーク側機器が１つのクロスパネル（ｃｒｏｓｓ−ｐａｎｅｌ）のＳＲＳリソースを構成し、ＵＥがＳＲＳリソースに対応するＳＲＳを送信する場合、異なるグループのアンテナポート（具体的にはＳＲＳポート）は、異なるアンテナパネルにマッピングされ、ネットワーク側機器は、該ＳＲＳに基づいて１つのＣＳＩを取得する。
【０１７３】
方式２：第１信号リソースを前記第１構成情報によって複数構成した場合、ステップ６２の前に、前記方法は、前記第１構成情報によって構成される第１信号リソースのグループ分け状況を指示するための第２グループ分け情報を前記端末に送信することを更に含み、ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【０１７４】
同様に、該第２グループ分け情報は、第１構成情報に含まれてもよいし、単独で送信されてもよいが、ここでは具体的に限定しない。
【０１７５】
簡単に言うと、ネットワーク側機器は、端末に対して複数の第１信号リソース群を構成し、各第１信号リソース群は、少なくとも１つの第１信号リソース（具体的にはＳＲＳリソース）を含む。又は、ネットワーク側機器は、端末に対し１つの第１信号リソース群を構成し、該第１信号リソース群は、複数の第１信号リソースを含む。
【０１７６】
ネットワーク側機器は、各第１信号リソースに対応する第１信号について、ユニキャストの仮定に基づいて（即ち、ネットワーク側機器は、上り伝送の際に、他の第１信号リソースを考慮せずに、この第１信号リソースに対応するアンテナのみを使用して伝送を行うと仮定する）、この第１信号リソースに対応するＣＳＩを取得する。又は、ネットワーク側機器は、複数の第１信号を結合してジョイントＣＳＩを取得する（即ち、ネットワーク側機器は、端末が複数の第１信号リソースに対応するアンテナを用いて上り伝送を行うことができると仮定する）。
【０１７７】
例えば、ネットワーク側機器は、各アンテナパネルに対して独立して１つのＳＲＳリソース（ｐｅｒ−ｐａｎｅｌ  ＳＲＳ  ｒｅｓｏｕｒｃｅ）を構成する。ネットワーク側機器は、各アンテナパネルにそれぞれ用いられるＳＲＳによって、ユニキャストの仮定の下で、各アンテナパネルのＣＳＩ（ｐｅｒ−ｐａｎｅｌ  ＣＳＩ）を取得する。又は、ネットワーク側機器は、クロスアンテナパネル（ｃｒｏｓｓ−ｐａｎｅｌ）接続のＳＲＳによって、ジョイント伝送の仮定の下で、クロスアンテナパネルのＣＳＩ（例えば、複数のパネルに対応する１つのクロスパネルＣＳＩ）を取得する。
【０１７８】
一実施例として、異なるグループの前記第１指示情報は、独立して符号化され、又は、前記少なくとも２つのグループの第１指示情報は、ジョイント符号化される。
【０１７９】
別の実施例として、異なるグループの前記第１表示情報は、異なる物理層シグナリングによって指示される。即ち、複数のグループの第１指示情報のそれぞれを、複数の独立したＬ１シグナリングによって端末に指示する。例えば、複数のＰＤＣＣＨによって、複数のグループの第１指示情報を端末にそれぞれ指示する。
【０１８０】
又は、前記少なくとも２つのグループの第１表示情報は、同一の物理層シグナリングによって指示され、即ち、１つのＬ１シグナリングで複数のグループの第１指示情報を端末に指示する。例えば、１つの物理下り制御チャネルＰＤＣＣＨ（該ＰＤＣＣＨは、ＰＵＳＣＨをスケジューリングする上りグラントが搬送されるＰＤＣＣＨである）によって複数のグループの第１指示情報を端末に指示する。
【０１８１】
なお、異なるシグナリングによって指示する方式は、同一のシグナリングによって指示する方式と比較して、より大きな遅延及びオーバーヘッドをもたらす可能性がある。
【０１８２】
更に、本開示の上記実施例において、前記第１構成情報によって少なくとも１つの第１信号リソースサブグループを構成し、各第１信号リソースサブグループに少なくとも１つの第１信号リソースが含まれ、ここで、各グループの第１指示情報は、１つの第１信号リソースサブグループに対応する。即ち、第１構成情報によって構成される複数の第１信号リソースは、複数の第１信号リソースサブグループに分けられる。該第１信号リソースサブグループは、第一信号リソースセット（具体的にはＳＲＳリソースセット）と呼ばれてもよい。
【０１８３】
上記例を踏まえ、本開示の上記実施例において、前記方法は、前記少なくとも２つのグループの第１指示情報に対応する第１信号リソースサブグループの第２指示情報を前記端末に送信することと、前記第２指示情報に基づいて、前記第１指示情報に対応する第１信号リソースサブグループを決定することとを更に含む。
【０１８４】
例えば、ネットワーク側機器が端末に対してＮ個のＳＲＳリソースセットを構成するが、ネットワーク側機器がＭ（Ｍ＜Ｎ）個の第１指示情報のみを指示する場合、ネットワーク側機器は、第２指示情報を端末に送信し、端末は、ネットワーク側機器によって指示されるＭ個の第１指示情報が、ネットワーク側機器によって構成されるＮ個のＳＲＳリソースセットのうちのどのＭ個に対応するかを、第２指示情報に基づいて決定することができる。
【０１８５】
端末が計Ｎ１個のアンテナパネルを有し、そのうちの１つのサブセット（例えば、Ｎ（Ｎ≦Ｎ１）個のアンテナパネル）を使用して第１信号を伝送するように基地局から端末に指示するとする。具体的には、選択されたアンテナパネルのインデックスは、基地局からシグナリングによって指示される。又は、選択されたアンテナパネルのインデックスは、シグナリングによって指示されるのではなく、第１指示情報（具体的にはＳＲＩ）の値によって暗黙的に指示される。
【０１８６】
一実施例として、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。
【０１８７】
例えば、ネットワーク側機器は、１つのＳＲＳリソースセット（上記の１つの第１信号リソースサブグループに相当）を構成し、その構成情報を端末に指示する。端末は、ネットワーク側機器から取得した構成情報に基づいて、アンテナパネルｎを介してＳＲＳリソースセットを送信する（具体的には、ＳＲＳリソースセット内の全てのＳＲＳリソースを送信する）。同一のＳＲＳリソースセット内の異なるＳＲＳリソースは、同じ又は異なるアナログビーム、例えば、ネットワーク側機器がアンテナパネルｎに対して決定した好ましい送信ビームでフォーミングされる。どのアナログビームを用いてＳＲＳのビームフォーミングと送信を行うかは、ネットワーク側機器によって、例えば半静的構成又はＬ１の動的シグナリングによって制御される。ネットワーク側機器は、ｐａｎｅｌ  ｎを介して送信されたＳＲＳを受信して測定し、その中から１つのＳＲＳリソースを選択し、選択したＳＲＳリソースを１つの指示シグナリング（第１指示情報）で端末に指示する。例えば、ネットワーク側機器が選択したＳＲＳリソースは、ＳＲＩ（ＳＲＳリソース指示）で指示される。
【０１８８】
別の実施例として、前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【０１８９】
例えば、ネットワーク側機器は、複数のＳＲＳリソースセット（複数の第１信号リソースサブグループに相当）を構成し、各ＳＲＳリソースセットに１つのＳＲＳリソースを含む。基地局は、その構成情報を端末に指示する。前記構成情報には、ＳＲＳリソースセットとアンテナパネルとの対応関係情報が含まれてもよい。ネットワーク側機器は、１つ又は複数のＳＲＳリソースセットを送信するように端末に対して構成又は指示する。端末は、基地局の指示情報に基づいて、１又は複数のＳＲＳリソースセットを送信する。同じＳＲＳリソースセット内の異なるＳＲＳリソースは、同じ又は異なるアナログビーム、例えば、基地局がアンテナパネルに対して決定した好ましい送信ビームでフォーミングされる。どのアナログビームを用いてＳＲＳのビームフォーミングと送信を行うかは、基地局によって、例えば半静的構成又はＬ１の動的シグナリングによって制御される。基地局は、端末が送信したＳＲＳリソースセットを受信して測定し、その中から１つのＳＲＳリソースセットを選択し、選択したＳＲＳリソースセットを１つの指示シグナリング（第１指示情報）で端末に指示する。例えば、ネットワーク側機器が選択したＳＲＳリソースセットは、ＳＲＩ（ＳＲＳリソース指示）で指示される。
【０１９０】
上記方式に基づいて、本開示の実施例において、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【０１９１】
例えば、ローカルインデックス指示は、以下である。端末が３つのアンテナパネルを含み、各ＳＲＳリソースセット内のＳＲＳリソースの番号が、それぞれ、ＳＲＳリソースセット１：［１  ２…８］、ＳＲＳリソースセット２：［１７…２４］、ＳＲＳリソースセット３：［２５…３２］であるとする。そして、各ＳＲＳリソースセット（アンテナパネル）に対応するＳＲＩ指示［ＳＲＩ１，ＳＲＩ２，…ＳＲＩ  Ｎ１］＝［１  １  １］は、ネットワーク側機器が各ＳＲＳリソースセットにおいて最初のＳＲＳリソースを指示することを示す。
【０１９２】
また、例えば、グローバルインデックス指示は、以下である。端末が３つのアンテナパネルを含み、各ＳＲＳリソースセット内のＳＲＳリソースの番号が、それぞれ、ＳＲＳリソースセット１：［１  ２…８］、ＳＲＳリソースセット２：［１７…２４］、ＳＲＳリソースセット３：［２５…３２］であるとする。そして、［ＳＲＩ１，ＳＲＩ２，…ＳＲＩ  Ｎ１］＝［１  ９  １７］は、ネットワーク側機器が３つのＳＲＳリソースセットにおいて指示するＳＲＳリソースが、それぞれ、ＣＳＩ取得用に構成されたＳＲＳリソースのうち、１、９、１７番目のＳＲＳリソースであることを示し、即ち、ネットワーク側機器が各ＳＲＳリソースセットにおいて最初のＳＲＳリソースを指示することを示す。
【０１９３】
また、例えば、絶対インデックス指示は、以下である。端末が３つのアンテナパネルを含み、各ＳＲＳリソースセット内のＳＲＳリソースの番号が、それぞれ、ＳＲＳリソースセット１：［１  ２…８］、ＳＲＳリソースセット２：［１７…２４］、ＳＲＳリソースセット３：［２５…３２］であるとする。そして、［ＳＲＩ１，ＳＲＩ２，…ＳＲＩＮ１］＝［１  １７  ２５］は、ネットワーク側機器が各ＳＲＳリソースセットにおいて最初のＳＲＳリソースを指示することを示す。
【０１９４】
更に、本開示の上記実施例において、ステップ６２の前に、前記第１信号のデータ層と第１指示情報との間の対応関係情報を前記端末に送信することを更に含み、それによって、前記端末が、前記対応関係情報に基づいて、前記第１信号のデータ層と前記第１指示情報との間の対応関係を取得することができる。
【０１９５】
任意選択で、前記対応関係情報は、以下の方式のうちの少なくとも１つの方式で指示される。
方式１：各グループの第１指示情報に対応するデータ層を、長さＫビットの情報フィールドによってビットマップ（ｂｉｔｍａｐ）方式で指示する。Ｋは、２以上の整数であり、非動的な値（例えば固定値や半静的な値）であり、且つＫの値は、予め端末に既知である。例えば、ビット値１（又は０）は、対応する層を、ＳＲＩによって指示されるＳＲＳと同じ伝送特性（例えば、使用されるアンテナパネル及びビーム）で伝送することを指示する。Ｋは、伝送ランクＬ以上（Ｌは、アンテナパネルの数）である。また、例えば、Ｋは、端末がサポートする最大のＰＵＳＣＨ伝送レイヤ数、又はネットワーク側機器が指示するＰＵＳＣＨの最大伝送レイヤ数である。全てのＳＲＩに対応するビットマップ（ｂｉｔｍａｐ）における１（又は０）の個数の合計は、Ｌに等しくなるべきである。
【０１９６】
方式２：各グループの第１指示情報に対応するデータ層の層数を指示し、その層数は、第１指示情報とジョイント符号化されてもよいし、独立に符号化されてもよい。例えば、ｎ＝１である場合、ＳＲＩｎは、層１〜Ｓ１に対応する。ｎ＞１である場合、ＳＲＩｎは、層Ｓ＋１，…Ｓ＋Ｓｎに対応し、ここでＳ＝
【数９】
2021534675.tif 000013
である。
【０１９７】
方式３：各グループの第１指示情報に対応するデータ層の最大層識別子を指示し、その最大層識別子は、第１指示情報とジョイント符号化されてもよいし、独立に符号化されてもよい。例えば、ｎ＝１である場合、ＳＲＩｎは、層１〜Ｓ１に対応し、ｎ＞１である場合、ＳＲＩｎは、層Ｓｎ−１＋１，…Ｓｎに対応する。
【０１９８】
なお、方式２及び方式３は、方式１よりもオーバーヘッドが少なくて済むというメリットがあるが、同一のＳＲＩに対応するＰＵＳＣＨレイヤが連続でなければならないことを求める。これは、スケジューリングの制約を増加させる。よって、実際の応用では、具体的な状況に応じて、使用する方式を決める。
【０１９９】
任意選択で、前記第１信号のデータ層と各グループの第１指示情報との間の対応関係を取得することは、前記第１信号のデータ層と端末の送信パネルとの間の対応関係情報を前記ネットワーク側機器から受信することと、前記対応関係情報に基づいて、前記第１信号のデータ層と端末の送信パネルとの間の対応関係を取得することとを含み、ここで、端末のアンテナパネルと第１指示情報との間に一対一の対応関係が存在する。
【０２００】
任意選択で、前記対応関係情報は、以下の方式のうちの少なくとも１つの方式で指示される。
方式１：各アンテナパネルに対応するデータ層を、長さＫビットの情報フィールドによってビットマップ（ｂｉｔｍａｐ）方式で指示する。Ｋは、２以上の整数であり、非動的な値（例えば固定値や半静的な値）であり、且つＫの値は、予め端末に既知である。例えば、ビット値１（又は０）は、対応する層を、ＳＲＩによって指示されるＳＲＳと同じ伝送特性（例えば、使用されるアンテナパネル及びビーム）で伝送することを指示する。Ｋは、伝送ランクＬ以上（Ｌは、アンテナパネルの数）である。また、例えば、Ｋは、端末がサポートする最大のＰＵＳＣＨ伝送レイヤ数、又はネットワーク側機器が指示するＰＵＳＣＨの最大伝送レイヤ数である。全てのＳＲＩに対応するビットマップ（ｂｉｔｍａｐ）における１（又は０）の個数の合計は、Ｌに等しくなるべきである。
【０２０１】
方式２：各アンテナパネルに対応するデータ層の層数Ｓｎを指示し、その層数は、第１指示情報とジョイント符号化されてもよいし、独立に符号化されてもよい。例えば、ｎ＝１である場合、ＳＲＩｎは、層１〜Ｓ１に対応する。ｎ＞１である場合、ＳＲＩｎは、層Ｓ＋１，…Ｓ＋Ｓｎに対応し、ここでＳ＝
【数１０】
2021534675.tif 000014
である。
【０２０２】
方式３：各アンテナパネルに対応するデータ層の最大層識別子を指示し、その最大層識別子は、第１指示情報とジョイント符号化されてもよいし、独立に符号化されてもよい。例えば、ｎ＝１である場合、ＳＲＩｎは、層１〜Ｓ１に対応し、ｎ＞１である場合、ＳＲＩｎは、層Ｓｎ−１＋１，…Ｓｎに対応する。
【０２０３】
なお、方式２及び方式３は、方式１よりもオーバーヘッドが少なくて済むというメリットがあるが、同一のＳＲＩに対応するＰＵＳＣＨレイヤが連続でなければならないことを求める。これは、スケジューリングの制約を増加させる。よって、実際の応用では、具体的な状況に応じて、使用する方式を決める。
【０２０４】
更に、本開示の上記実施例において、前記前記端末が前記第１構成情報に基づいて送信した第２信号を受信する前に、前記方法は、前記第１構成情報に含まれる第１信号リソースに対応する送信ビームを指示するためのビーム指示情報を前記端末に送信するステップを更に含み、前記前記端末が前記第１構成情報に基づいて送信した第２信号を受信することは、前記端末が前記第１構成情報に基づいて、前記ビーム指示情報によって指示される送信ビームを利用して前記ネットワーク側機器に送信した第２信号を受信することを含む。
【０２０５】
即ち、第２信号（第２信号は、ＣＳＩ取得用のＳＲＳである）を受信する前に、ネットワーク側機器は、各パネルの好ましい送信ビームを端末に指示する必要がある。
【０２０６】
対応して、前記ビーム指示情報を前記端末に送信する前に、前記方法は、ビームトレーニング用の複数のグループの上り基準信号リソースである第３信号の送信を前記端末に指示するための第３指示情報を前記端末に送信することと、前記端末が前記第３指示情報に基づいて端末の複数のアンテナパネルを用いて送信した前記第３信号を受信することと、前記第３信号に対応する上り基準信号リソースから少なくとも１つの上り基準信号リソースを選択することとを更に含み、各グループの上り基準信号リソースは、少なくとも１つの上り基準信号リソースを含む。ここで、前記ビーム指示情報によって指示される送信ビームは、前記ネットワーク側機器が選択した少なくとも１つの上り基準信号リソースに対応する送信ビームである。
【０２０７】
例えば、各アンテナパネルに対し、以下のプロセスを繰り返す。以下、パネルｎを例として記載する。ネットワーク側機器は、１つのＳＲＳリソースセットを構成し、その構成情報をＵＥに指示する。
【０２０８】
ネットワーク側機器から受信した構成情報に基づいて、端末は、ＳＲＳリソースセット（の中の全てのＳＲＳリソース）をアンテナパネルｎを介して送信する。同一のＳＲＳリソースセット内の異なるＳＲＳリソースは、同じ又は異なるアナログビームでビームフォーミングされる。任意選択で、端末は、同じアナログビームを使用するか否か、及び／又は、使用するアナログビームを自ら決定し、これは、基地局とって透明である。もちろん、本開示は、ＳＲＳを送信するアナログビームが基地局にとって非透明なケースにも適用する。
【０２０９】
ネットワーク側機器は、各アンテナパネルについて、好ましいアナログ送信ビームを決定する。ｎ番目のアンテナパネルの好ましいビームを［ＢＭｏｐｔ，ｎ］で示し、ネットワーク側機器によって選択された好ましいＳＲＳを伝送する際に使用された送信ビームに対応する。ネットワーク側機器は、好ましいアナログ送信ビームをある規則で決定し、この規則は、異なるＳＲＳリソース上の信号対干渉プラス雑音比ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）／参照信号受信電力ＲＳＲＰ（Ｒｅｆｅｒｅｎｃｅ  Ｓｉｇｎａｌ  Ｒｅｃｅｉｖｉｎｇ  Ｐｏｗｅｒ）／参照信号受信品質ＲＳＲＱ（Ｒｅｆｅｒｅｎｃｅ  Ｓｉｇｎａｌ  Ｒｅｃｅｉｖｉｎｇ  Ｑｕａｌｉｔｙ）測定を含むが、これらに限定されない。ネットワーク側機器が決定したｎ番目のアンテナパネルの好ましいＳＲＳリソースを［ＳＲＳｏｐｔ，ｎ］で示すとする。
【０２１０】
この過程で、ネットワーク側機器は、同様に好ましい受信ビームを決定することができる。好ましい受信ビームについては、各アンテナパネルで単一パネル伝送を行ってそれぞれ決定されるとするが、各送信パネルに対して１つの好ましい受信ビームが存在する。この場合、異なるＳＲＳリソースセットは、重ならない時間／周波数リソースで伝送される。任意選択で、ネットワーク側機器は、全てのパネルに同時に用いる受信ビームを決定する。又は、異なるＳＲＳリソースセット（異なるアンテナパネルに対応する）は、同じ時間／周波数リソースで送信される。
【０２１１】
なお、任意選択で、ネットワーク側機器は、各アンテナパネルに対して複数の送信ビームを選択し、例えば、［ＳＲＳｏｐｔ，ｎ，１，  ＳＲＳｏｐｔ，ｎ，２，…］は、パネルｎの最適、２番目に好ましい、…送信ビームに対応する。
【０２１２】
以上、本開示の上記実施において、ネットワーク側機器から送信された少なくとも２つのグループの第１指示情報に基づいて、複数のデータ層を含む第１信号を送信し、ここで、前記第１信号の各データ層が１つのグループの前記第１指示情報とそれぞれ対応関係が存在し、且つ各グループの第１指示情報が１つのアンテナパネルに対応する。よって、複数のデータ層を同時に複数のアンテナパネルから伝送するマルチアンテナパネルジョイント伝送を実現する。且つ各アンテナパネルが１つのグループの第１指示情報に対応するため、ネットワーク側機器が各アンテナパネルに対して独立にフォーミングビームを選択することを実現し（第１信号リソースでフォーミングビームを指示する）、よりよいフォーミング利得を取得して上り伝送の性能を向上させる。
【０２１３】
図７に示すように、本開示の実施例は、端末に応用される信号伝送装置を更に提供し、各グループの第１指示情報によって少なくとも１つの第１信号リソースを指示する少なくとも２つのグループの第１指示情報をネットワーク側機器から受信する第１受信モジュール７１と、データ層を複数含む第１信号を、前記少なくとも２つのグループの第１指示情報の指示に基づいて送信する第１送信モジュール７２とを含み、前記第１信号の各データ層は、それぞれ１つのグループの前記第１指示情報と対応関係が存在する。
【０２１４】
任意選択で、本開示の上記実施例において、前記装置は、少なくとも１つの第１信号リソースを端末に対し構成するための第１構成情報をネットワーク側機器から受信する第３受信モジュールと、前記第１構成情報に基づいて、第２信号を前記ネットワーク側機器に送信する第３送信モジュールとを更に含み、前記第１指示情報によって指示される少なくとも１つの第１信号リソースは、前記第１構成情報によって構成される第１信号リソースのうちの第１信号リソースである。
【０２１５】
任意選択で、本開示の上記実施例において、前記第１送信モジュールは、前記第１指示情報によって指示される第１信号リソースに対応する第２信号を送信する際に使用されたアンテナパネルをそれぞれ用いて前記第１信号を送信する第１送信サブモジュールを含む。
【０２１６】
任意選択で、本開示の上記実施例において、前記第１送信モジュールは、前記少なくとも２つのグループの第１指示情報によって指示される第１信号リソースに対応する第２信号を送信する際に使用されたアンテナパネルを用いて前記第１信号を送信する第１送信サブモジュールを含む。
【０２１７】
任意選択で、本開示の上記実施例において、複数のアンテナポートを含む第１信号リソースを前記第１構成情報によって１つのみ構成した場合、前記装置は、前記第１構成情報によって構成される第１信号リソースのアンテナポートのグループ分け状況を指示するための第１グループ分け情報を前記ネットワーク側機器から受信する第４受信モジュールを更に含み、ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【０２１８】
任意選択で、本開示の上記実施例において、前記装置は、前記第１構成情報によって構成される第１信号リソースのグループ分け状況を指示するための第２グループ分け情報を前記ネットワーク側機器から受信する第５受信モジュールを更に含み、ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【０２１９】
任意選択で、本開示の上記実施例において、異なるグループの前記第１指示情報は、独立して符号化され、又は、前記少なくとも２つのグループの第１指示情報は、ジョイント符号化される。
【０２２０】
任意選択で、本開示の上記実施例において、異なるグループの前記第１指示情報は、異なる物理層シグナリングによって指示され、又は、前記少なくとも２つのグループの第１指示情報は、同一の物理層シグナリングによって指示される。
【０２２１】
任意選択で、本開示の上記実施例において、前記第１構成情報によって少なくとも１つの第１信号リソースサブグループを構成し、各第１信号リソースサブグループに少なくとも１つの第１信号リソースが含まれ、ここで、各グループの第１指示情報は、１つの第１信号リソースサブグループに対応する。
【０２２２】
任意選択で、本開示の上記実施例において、前記装置は、前記少なくとも２つのグループの第１指示情報に対応する第１信号リソースサブグループの第２指示情報を前記ネットワーク側機器から受信する第６受信モジュールと、前記第２指示情報に基づいて、前記第１指示情報に対応する第１信号リソースサブグループを決定する第１決定モジュールとを更に含む。
【０２２３】
任意選択で、本開示の上記実施例において、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【０２２４】
任意選択で、本開示の上記実施例において、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【０２２５】
任意選択で、本開示の上記実施例において、前記装置は、前記方法は、前記第１信号のデータ層と各グループの第１指示情報との間の対応関係を取得する取得モジュールを更に含む。
【０２２６】
任意選択で、本開示の上記実施例において、前記取得モジュールは、前記第１信号のデータ層と第１指示情報との間の対応関係情報を前記ネットワーク側機器から受信する第１取得サブモジュールと、前記対応関係情報に基づいて、前記第１信号のデータ層と前記第１指示情報との間の対応関係を取得する第２取得サブモジュールとを含む。
【０２２７】
任意選択で、本開示の上記実施例において、前記対応関係情報は、各グループの第１指示情報に対応するデータ層を、長さＫ（２以上の整数）ビットの情報フィールドによってビットマップ方式で指示すること、各グループの第１指示情報に対応するデータ層の層数を指示すること、各グループの第１表示情報に対応するデータ層の最大層識別子を指示することの少なくとも１つによって指示される。
【０２２８】
任意選択で、本開示の上記実施例において、前記装置は、前記第１構成情報に含まれる第１信号リソースに対応する送信ビームを指示するためのビーム指示情報を前記ネットワーク側機器から受信する第７受信モジュールを更に含み、前記第３送信モジュールは、前記第１構成情報に基づいて、前記ビーム指示情報によって指示される送信ビームを利用して前記第２信号を前記ネットワーク側機器に送信する第２送信サブモジュールを含む。
【０２２９】
任意選択で、本開示の上記実施例において、前記装置は、ビームトレーニング用の複数のグループの上り基準信号リソースである第３信号の送信を前記端末に指示するための第３指示情報をネットワーク側機器から受信する第８受信モジュールと、前記第３指示情報に基づいて、前記端末の複数のアンテナパネルを用いてそれぞれ前記第３信号を送信する第４送信モジュールとを更に含み、各グループの上り基準信号リソースは、少なくとも１つの上り基準信号リソースを含む。
【０２３０】
以上、本開示の上記実施において、ネットワーク側機器から送信された少なくとも２つのグループの第１指示情報に基づいて、複数のデータ層を含む第１信号を送信し、ここで、前記第１信号の各データ層が１つのグループの前記第１指示情報とそれぞれ対応関係が存在し、且つ各グループの第１指示情報が１つのアンテナパネルに対応する。よって、複数のデータ層を同時に複数のアンテナパネルから伝送するマルチアンテナパネルジョイント伝送を実現する。且つ各アンテナパネルが１つのグループの第１指示情報に対応するため、ネットワーク側機器が各アンテナパネルに対して独立にフォーミングビームを選択することを実現し（第１信号リソースでフォーミングビームを指示する）、よりよいフォーミング利得を取得して上り伝送の性能を向上させる。
【０２３１】
なお、本開示の実施例に係る信号伝送装置は、上記信号伝送方法を実行可能な装置であり、上記信号伝送方法の全ての実施例は、該装置に適用し、同一又は類似の効果を奏することができる。
【０２３２】
図８に示すように、本開示の実施例は、端末を更に提供する。前記端末は、複数のアンテナパネルを含み、更にトランシーバ８２０と、メモリ８１０と、プロセッサ８００と、前記メモリ８１０に格納されて前記プロセッサ８００で実行可能なプログラムを含む。ここで、前記プロセッサ８００は、メモリからプログラムを読み取って、各グループの第１指示情報によって少なくとも１つの第１信号リソースを指示する少なくとも２つのグループの第１指示情報をネットワーク側機器から受信するプロセスと、データ層を複数含む第１信号を、前記少なくとも２つのグループの第１指示情報の指示に基づいて送信するプロセスとを前記トランシーバ８２０が実行するように制御し、前記第１信号の各データ層は、それぞれ１つのグループの前記第１指示情報と対応関係が存在する。
【０２３３】
任意選択で、本開示の上記実施例において、前記トランシーバ８２０は、更に、少なくとも１つの第１信号リソースを端末に対し構成するための第１構成情報をネットワーク側機器から受信し、前記第１構成情報に基づいて、第２信号を前記ネットワーク側機器に送信する。前記第１指示情報によって指示される少なくとも１つの第１信号リソースは、前記第１構成情報によって構成される第１信号リソースのうちの第１信号リソースである。
【０２３４】
任意選択で、本開示の上記実施例において、前記トランシーバ８２０は、更に、前記第１指示情報によって指示される第１信号リソースに対応する第２信号を送信する際に使用されたアンテナパネルをそれぞれ用いて前記第１信号を送信する。
【０２３５】
任意選択で、本開示の上記実施例において、前記トランシーバ８２０は、更に、前記少なくとも２つのグループの第１指示情報によって指示される第１信号リソースに対応する第２信号を送信する際に使用されたアンテナパネルを用いて前記第１信号を送信する。
【０２３６】
任意選択で、本開示の上記実施例において、複数のアンテナポートを含む第１信号リソースを前記第１構成情報によって１つのみ構成した場合、前記トランシーバ８２０は、更に、前記第１構成情報によって構成される第１信号リソースのアンテナポートのグループ分け状況を指示するための第１グループ分け情報を前記ネットワーク側機器から受信する。ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【０２３７】
任意選択で、本開示の上記実施例において、第１信号リソースを前記第１構成情報によって複数構成した場合、前記トランシーバ８２０は、更に、前記第１構成情報によって構成される第１信号リソースのグループ分け状況を指示するための第２グループ分け情報を前記ネットワーク側機器から受信する。ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【０２３８】
任意選択で、本開示の上記実施例において、異なるグループの前記第１指示情報は、独立して符号化され、又は、前記少なくとも２つのグループの第１指示情報は、ジョイント符号化される。
【０２３９】
任意選択で、本開示の上記実施例において、異なるグループの前記第１指示情報は、異なる物理層シグナリングによって指示され、又は、前記少なくとも２つのグループの第１指示情報は、同一の物理層シグナリングによって指示される。
【０２４０】
任意選択で、本開示の上記実施例において、前記第１構成情報によって少なくとも１つの第１信号リソースサブグループを構成し、各第１信号リソースサブグループに少なくとも１つの第１信号リソースが含まれ、ここで、各グループの第１指示情報は、１つの第１信号リソースサブグループに対応する。
【０２４１】
任意選択で、本開示の上記実施例において、前記トランシーバ８２０は、更に、前記少なくとも２つのグループの第１指示情報に対応する第１信号リソースサブグループの第２指示情報を前記ネットワーク側機器から受信し、前記第２指示情報に基づいて、前記第１指示情報に対応する第１信号リソースサブグループを決定する。
【０２４２】
任意選択で、本開示の上記実施例において、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【０２４３】
任意選択で、本開示の上記実施例において、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【０２４４】
任意選択で、本開示の上記実施例において、前記トランシーバ８２０は、更に、前記第１信号のデータ層と各グループの第１指示情報との間の対応関係を取得する。
【０２４５】
任意選択で、本開示の上記実施例において、前記トランシーバ８２０は、更に、前記第１信号のデータ層と第１指示情報との間の対応関係情報を前記ネットワーク側機器から受信し、前記プロセッサ８００は、更に、前記対応関係情報に基づいて、前記第１信号のデータ層と前記第１指示情報との間の対応関係を取得する。
【０２４６】
任意選択で、本開示の上記実施例において、前記対応関係情報は、各グループの第１指示情報に対応するデータ層を、長さＫ（２以上の整数）ビットの情報フィールドによってビットマップ方式で指示すること、各グループの第１指示情報に対応するデータ層の層数を指示すること、各グループの第１表示情報に対応するデータ層の最大層識別子を指示することの少なくとも１つによって指示される。
【０２４７】
任意選択で、本開示の上記実施例において、前記トランシーバ８２０は、更に、前記第１構成情報に含まれる第１信号リソースに対応する送信ビームを指示するためのビーム指示情報を前記ネットワーク側機器から受信し、前記第１構成情報に基づいて、前記ビーム指示情報によって指示される送信ビームを利用して前記第２信号を前記ネットワーク側機器に送信する。
【０２４８】
任意選択で、本開示の上記実施例において、前記トランシーバ８２０は、更に、ビームトレーニング用の複数のグループの上り基準信号リソースである第３信号の送信を前記端末に指示するための第３指示情報をネットワーク側機器から受信し、前記第３指示情報に基づいて、前記端末の複数のアンテナパネルを用いてそれぞれ前記第３信号を送信し、各グループの上り基準信号リソースは、少なくとも１つの上り基準信号リソースを含む。
【０２４９】
以上、本開示の上記実施において、ネットワーク側機器から送信された少なくとも２つのグループの第１指示情報に基づいて、複数のデータ層を含む第１信号を送信し、ここで、前記第１信号の各データ層が１つのグループの前記第１指示情報とそれぞれ対応関係が存在し、且つ各グループの第１指示情報が１つのアンテナパネルに対応する。よって、複数のデータ層を同時に複数のアンテナパネルから伝送するマルチアンテナパネルジョイント伝送を実現する。且つ各アンテナパネルが１つのグループの第１指示情報に対応するため、ネットワーク側機器が各アンテナパネルに対して独立にフォーミングビームを選択することを実現し（第１信号リソースでフォーミングビームを指示する）、よりよいフォーミング利得を取得して上り伝送の性能を向上させる。
【０２５０】
なお、本開示の実施例に係る端末は、上記信号伝送方法を実行可能な端末であり、上記信号伝送方法の全ての実施例は、該端末に適用し、同一又は類似の効果を奏することができる。
【０２５１】
本開示の実施例は、コンピュータプログラムが格納されているコンピュータ読み取り可能な記憶媒体を更に提供し、前記コンピュータプログラムがプロセッサによって実行されると、上記の端末に応用される信号伝送方法の実施例の各プロセスが実現され、且つ同じ技術効果を奏することもできるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０２５２】
図９に示すように、本開示の実施例は、ネットワーク側機器に応用される信号伝送装置を更に提供し、各グループの第１指示情報によって少なくとも１つの第１信号リソースを指示する少なくとも２つのグループの第１指示情報を端末に送信する第２送信モジュール９１と、前記端末が前記少なくとも２つのグループの第１指示情報の指示に基づいて送信した第１信号であって、データ層を複数含む第１信号を受信する第２受信モジュール９２とを含み、前記第１信号の各データ層は、それぞれ１つのグループの前記第１指示情報と対応関係が存在する。
【０２５３】
任意選択で、本開示の上記実施例において、前記装置は、少なくとも１つの第１信号リソースを端末に対し構成するための第１構成情報を前記端末に送信する第９送信モジュールと、前記端末が前記第１構成情報に基づいて送信した第２信号を受信する第５受信モジュールと、前記第２信号を測定し、前記第２信号に対応する第１信号リソースから少なくとも１つの第１信号リソースを選択する第１選択モジュールとを更に含み、ここで、前記第１指示情報によって指示される少なくとも１つの第１信号リソースは、前記ネットワーク側機器が選択した第１信号リソースである。
【０２５４】
任意選択で、本開示の上記実施例において、前記第２受信モジュールは、前記第１指示情報によって指示される第１信号リソースに対応する第２信号を送信する際に使用されたアンテナパネルを前記端末がそれぞれ用いて送信した第１信号を受信する第１受信サブモジュールを含む。
【０２５５】
任意選択で、本開示の上記実施例において、複数のアンテナポートを含む第１信号リソースを前記第１構成情報によって１つのみ構成した場合、前記装置は、前記第１構成情報によって構成される第１信号リソースのアンテナポートのグループ分け状況を指示するための第１グループ分け情報を前記端末に送信する第１０送信モジュールを更に含み、ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【０２５６】
任意選択で、本開示の上記実施例において、複数の第１信号リソースを前記第１構成情報によって構成した場合、前記装置は、前記第１構成情報によって構成される第１信号リソースのグループ分け状況を指示するための第２グループ分け情報を前記端末に送信する第１１送信モジュールを更に含み、ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【０２５７】
任意選択で、本開示の上記実施例において、異なるグループの前記第１指示情報は、独立して符号化され、又は、前記少なくとも２つのグループの第１指示情報は、ジョイント符号化される。
【０２５８】
任意選択で、本開示の上記実施例において、異なるグループの前記第１指示情報は、異なる物理層シグナリングによって指示され、又は、前記少なくとも２つのグループの第１指示情報は、同一の物理層シグナリングによって指示される。
【０２５９】
任意選択で、本開示の上記実施例において、前記第１構成情報によって少なくとも１つの第１信号リソースサブグループを構成し、各第１信号リソースサブグループに少なくとも１つの第１信号リソースが含まれ、ここで、各グループの第１指示情報は、１つの第１信号リソースサブグループに対応する。
【０２６０】
任意選択で、本開示の上記実施例において、前記装置は、前記少なくとも２つのグループの第１指示情報に対応する第１信号リソースサブグループの第２指示情報を前記端末に送信する第１２送信モジュールと、前記第２指示情報に基づいて、前記第１指示情報に対応する第１信号リソースサブグループを決定する第２決定モジュールとを更に含む。
【０２６１】
任意選択で、本開示の上記実施例において、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【０２６２】
任意選択で、本開示の上記実施例において、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【０２６３】
任意選択で、本開示の上記実施例において、前記装置は、前記第１信号のデータ層と第１指示情報との間の対応関係情報を前記端末に送信する第１３送信モジュールを更に含み、それによって、前記端末が、前記対応関係情報に基づいて、前記第１信号のデータ層と前記第１指示情報との間の対応関係を取得することができる。
【０２６４】
任意選択で、本開示の上記実施例において、前記対応関係情報は、各グループの第１指示情報に対応するデータ層を、長さＫ（２以上の整数）ビットの情報フィールドによってビットマップ方式で指示すること、各グループの第１指示情報に対応するデータ層の層数を指示すること、各グループの第１表示情報に対応するデータ層の最大層識別子を指示することの少なくとも１つによって指示される。
【０２６５】
任意選択で、本開示の上記実施例において、前記装置は、前記第１構成情報に含まれる第１信号リソースに対応する送信ビームを指示するためのビーム指示情報を前記端末に送信する第１４送信モジュールを更に含み、前記第２受信モジュールは、前記端末が前記第１構成情報に基づいて、前記ビーム指示情報によって指示される送信ビームを利用して前記ネットワーク側機器に送信した第２信号を受信する第２受信サブモジュールを含む。
【０２６６】
任意選択で、本開示の上記実施例において、前記装置は、ビームトレーニング用の複数のグループの上り基準信号リソースである第３信号の送信を前記端末に指示するための第３指示情報を前記端末に送信する第１５送信モジュールと、前記端末が前記第３指示情報に基づいて端末の複数のアンテナパネルを用いて送信した前記第３信号を受信する第１０受信モジュールと、前記第３信号に対応する上り基準信号リソースから少なくとも１つの上り基準信号リソースを選択する第２選択モジュールとを更に含み、各グループの上り基準信号リソースは、少なくとも１つの上り基準信号リソースを含む。ここで、前記ビーム指示情報によって指示される送信ビームは、前記ネットワーク側機器が選択した少なくとも１つの上り基準信号リソースに対応する送信ビームである。
【０２６７】
以上、本開示の上記実施において、ネットワーク側機器から送信された少なくとも２つのグループの第１指示情報に基づいて、複数のデータ層を含む第１信号を送信し、ここで、前記第１信号の各データ層が１つのグループの前記第１指示情報とそれぞれ対応関係が存在し、且つ各グループの第１指示情報が１つのアンテナパネルに対応する。よって、複数のデータ層を同時に複数のアンテナパネルから伝送するマルチアンテナパネルジョイント伝送を実現する。且つ各アンテナパネルが１つのグループの第１指示情報に対応するため、ネットワーク側機器が各アンテナパネルに対して独立にフォーミングビームを選択することを実現し（第１信号リソースでフォーミングビームを指示する）、よりよいフォーミング利得を取得して上り伝送の性能を向上させる。
【０２６８】
なお、本開示の実施例に係る信号伝送装置は、上記信号伝送方法を実行可能な装置であり、上記信号伝送方法の全ての実施例は、該装置に適用し、同一又は類似の効果を奏することができる。
【０２６９】
図８に示すように、本開示の実施例は、ネットワーク側機器を提供し、トランシーバ８２０と、メモリ８１０と、プロセッサ８００と、前記メモリ８１０に格納されて前記プロセッサ８００で実行可能なコンピュータプログラムを含む。ここで、前記プロセッサ８００は、メモリからプログラムを読み取って、各グループの第１指示情報によって少なくとも１つの第１信号リソースを指示する少なくとも２つのグループの第１指示情報を端末に送信するプロセスと、前記端末が前記少なくとも２つのグループの第１指示情報の指示に基づいて送信した第１信号であって、データ層を複数含む第１信号を受信するプロセスとを前記トランシーバ８２０が実行するように制御し、前記第１信号の各データ層は、それぞれ１つのグループの前記第１指示情報と対応関係が存在する。
【０２７０】
任意選択で、本開示の上記実施例において、前記トランシーバ８２０は、更に、少なくとも１つの第１信号リソースを端末に対し構成するための第１構成情報を前記端末に送信し、前記端末が前記第１構成情報に基づいて送信した第２信号を受信し、前記第２信号を測定し、前記第２信号に対応する第１信号リソースから少なくとも１つの第１信号リソースを選択し、ここで、前記第１指示情報によって指示される少なくとも１つの第１信号リソースは、前記ネットワーク側機器が選択した第１信号リソースである。
【０２７１】
任意選択で、本開示の上記実施例において、前記トランシーバ８２０は、更に、前記第１指示情報によって指示される第１信号リソースに対応する第２信号を送信する際に使用されたアンテナパネルを前記端末がそれぞれ用いて送信した第１信号を受信する。
【０２７２】
任意選択で、本開示の上記実施例において、複数のアンテナポートを含む第１信号リソースを前記第１構成情報によって１つのみ構成した場合、前記トランシーバ８２０は、更に、前記第１構成情報によって構成される第１信号リソースのアンテナポートのグループ分け状況を指示するための第１グループ分け情報を前記端末に送信する。ここで、各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示する。
【０２７３】
任意選択で、本開示の上記実施例において、第１信号リソースを前記第１構成情報によって複数構成した場合、前記トランシーバ８２０は、更に、前記第１構成情報によって構成される第１信号リソースのグループ分け状況を指示するための第２グループ分け情報を前記端末に送信する。ここで、各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する。
【０２７４】
任意選択で、本開示の上記実施例において、異なるグループの前記第１指示情報は、独立して符号化され、又は、前記少なくとも２つのグループの第１指示情報は、ジョイント符号化される。
【０２７５】
任意選択で、本開示の上記実施例において、異なるグループの前記第１指示情報は、異なる物理層シグナリングによって指示され、又は、前記少なくとも２つのグループの第１指示情報は、同一の物理層シグナリングによって指示される。
【０２７６】
任意選択で、本開示の上記実施例において、前記第１構成情報によって少なくとも１つの第１信号リソースサブグループを構成し、各第１信号リソースサブグループに少なくとも１つの第１信号リソースが含まれ、ここで、各グループの第１指示情報は、１つの第１信号リソースサブグループに対応する。
【０２７７】
任意選択で、本開示の上記実施例において、前記トランシーバ８２０は、更に、前記少なくとも２つのグループの第１指示情報に対応する第１信号リソースサブグループの第２指示情報を前記端末に送信し、前記第２指示情報に基づいて、前記第１指示情報に対応する第１信号リソースサブグループを決定する。
【０２７８】
任意選択で、本開示の上記実施例において、前記第１構成情報によって１つの第１信号リソースサブグループのみを構成し、前記第１信号リソースサブグループに少なくとも１つの第１信号リソースが含まれる場合、前記第１指示情報は、前記ネットワーク側機器が前記第１信号リソースサブグループから選択した少なくとも１つの第１信号リソースを指示する。前記第１構成情報によって複数の第１信号リソースサブグループを端末に対して構成し、各第１信号リソースサブグループに１つの第１信号リソースが含まれる場合、前記第１指示情報は、前記ネットワーク側機器が前記複数の第１信号リソースサブグループから選択した少なくとも１つの第１信号リソースサブグループを指示する。
【０２７９】
任意選択で、本開示の上記実施例において、前記第１指示情報は、前記第１信号リソースが存在する第１信号リソースサブグループにおける前記第１信号リソースのローカルインデックスを指示すること、前記ネットワーク側機器によって構成される全ての第１信号リソースにおける前記第１信号リソースのグローバルインデックスを指示すること、前記ネットワーク側機器によって構成される全ての第１信号リソースにおける前記第１信号リソースの絶対インデックスを指示すること、前記第１信号リソースが存在する第１信号リソースサブグループの、対応するアンテナパネルに含まれる前記第１信号リソースサブグループにおけるローカルインデックスを指示すること、前記第１信号リソースが存在する第１信号リソースサブグループの、前記ネットワーク側機器によって構成される全ての第１信号リソースサブグループにおけるグローバルインデックスを指示すること、前記第１信号リソースが存在する第１信号リソースサブグループの、前記ネットワーク側機器によって構成される全ての第１信号リソースサブグループにおける絶対インデックスを指示することの少なくとも１つによって、少なくとも１つの第１信号リソースを指示する。
【０２８０】
任意選択で、本開示の上記実施例において、前記トランシーバ８２０は、更に、前記第１信号のデータ層と第１指示情報との間の対応関係情報を前記端末に送信し、それによって、前記端末が、前記対応関係情報に基づいて、前記第１信号のデータ層と前記第１指示情報との間の対応関係を取得することができる。
【０２８１】
任意選択で、本開示の上記実施例において、前記対応関係情報は、各グループの第１指示情報に対応するデータ層を、長さＫ（２以上の整数）ビットの情報フィールドによってビットマップ方式で指示すること、各グループの第１指示情報に対応するデータ層の層数を指示すること、各グループの第１表示情報に対応するデータ層の最大層識別子を指示することの少なくとも１つによって指示される。
【０２８２】
任意選択で、本開示の上記実施例において、前記トランシーバ８２０は、更に、前記第１構成情報に含まれる第１信号リソースに対応する送信ビームを指示するためのビーム指示情報を前記端末に送信し、前記端末が前記第１構成情報に基づいて、前記ビーム指示情報によって指示される送信ビームを利用して前記ネットワーク側機器に送信した第２信号を受信する。
【０２８３】
任意選択で、本開示の上記実施例において、前記トランシーバ８２０は、更に、ビームトレーニング用の複数のグループの上り基準信号リソースである第３信号の送信を前記端末に指示するための第３指示情報を前記端末に送信し、前記端末が前記第３指示情報に基づいて端末の複数のアンテナパネルを用いて送信した前記第３信号を受信し、各グループの上り基準信号リソースは、少なくとも１つの上り基準信号リソースを含む。前記プロセッサ８００は、更に、前記第３信号に対応する上り基準信号リソースから少なくとも１つの上り基準信号リソースを選択し、ここで、前記ビーム指示情報によって指示される送信ビームは、前記ネットワーク側機器が選択した少なくとも１つの上り基準信号リソースに対応する送信ビームである。
【０２８４】
以上、本開示の上記実施において、ネットワーク側機器から送信された少なくとも２つのグループの第１指示情報に基づいて、複数のデータ層を含む第１信号を送信し、ここで、前記第１信号の各データ層が１つのグループの前記第１指示情報とそれぞれ対応関係が存在し、且つ各グループの第１指示情報が１つのアンテナパネルに対応する。よって、複数のデータ層を同時に複数のアンテナパネルから伝送するマルチアンテナパネルジョイント伝送を実現する。且つ各アンテナパネルが１つのグループの第１指示情報に対応するため、ネットワーク側機器が各アンテナパネルに対して独立にフォーミングビームを選択することを実現し（第１信号リソースでフォーミングビームを指示する）、よりよいフォーミング利得を取得して上り伝送の性能を向上させる。
【０２８５】
なお、本開示の実施例に係るネットワーク側機器は、上記信号伝送方法を実行可能なネットワーク側機器であり、上記信号伝送方法の全ての実施例は、該ネットワーク側機器に適用し、同一又は類似の効果を奏することができる。
【０２８６】
本開示の実施例は、コンピュータプログラムが格納されているコンピュータ読み取り可能な記憶媒体を更に提供し、前記コンピュータプログラムがプロセッサによって実行されると、上記のネットワーク側機器に応用される信号伝送方法の実施例の各プロセスが実現され、且つ同じ技術効果を奏することもできるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０２８７】
なお、本開示の各実施例において、各グループの第１指示情報が１つのアンテナパネルにそれぞれ対応する実施形態は、各グループの第１指示情報が１つのアンテナパネル群にそれぞれ対応するケースまで拡張可能であり、１つのアンテナパネル群に１つ又は複数のアンテナパネルが含まれる。
【０２８８】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０２８９】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。ハードウェアは、電子回路、特殊用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラミング可能な論理デバイス、プログラミング可能なプロセッサなどを含むが、それらに限られない。
【０２９０】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、全て本開示の保護範囲に含まれる。
【０２９１】
以上は、本開示の選択可能な実施形態である。なお、当業者にとって、本開示に記載の原理を逸脱するせずに、さらなる改良や修飾を行うことが可能であり、これらの改良や修飾も、本開示の保護範囲として見なされるべきである。
【図１】
2021534675.tif 000015
【図２】
2021534675.tif 000016
【図３】
2021534675.tif 000017
【図４】
2021534675.tif 000018
【図５】
2021534675.tif 000019
【図６】
2021534675.tif 000020
【図７】
2021534675.tif 000021
【図８】
2021534675.tif 000022
【図９】
2021534675.tif 000023
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
端末に応用される信号伝送方法であって、
各グループの第１指示情報によって少なくとも１つの第１信号リソースを指示する少なくとも２つのグループの第１指示情報をネットワーク側機器から受信するステップと、
データ層を複数含む第１信号を、前記少なくとも２つのグループの第１指示情報の指示に基づいて送信するステップとを含み、
前記第１信号の各データ層は、それぞれ１つのグループの前記第１指示情報と対応関係が存在する、信号伝送方法。
【請求項２】
前記少なくとも２つのグループの第１指示情報をネットワーク側機器から受信するステップの前に、
少なくとも１つの第１信号リソースを端末に対し構成するための第１構成情報をネットワーク側機器から受信するステップと、
前記第１構成情報に基づいて、第２信号を前記ネットワーク側機器に送信するステップとを更に含み、
前記第１指示情報によって指示される少なくとも１つの第１信号リソースは、前記第１構成情報によって構成される第１信号リソースのうちの第１信号リソースである、請求項１に記載の信号伝送方法。
【請求項３】
前記第１信号を前記少なくとも２つのグループの第１指示情報の指示に基づいて送信することは、
前記第１指示情報によって指示される第１信号リソースに対応する第２信号を送信する際に使用されたアンテナパネルをそれぞれ用いて前記第１信号を送信することを含む、請求項２に記載の信号伝送方法。
【請求項４】
複数のアンテナポートを含む第１信号リソースを前記第１構成情報によって１つのみ構成した場合、第１信号を前記少なくとも２つのグループの第１指示情報の指示に基づいて送信する前に、
前記第１構成情報によって構成される第１信号リソースのアンテナポートのグループ分け状況を指示するための第１グループ分け情報を前記ネットワーク側機器から受信することを更に含み、
各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示し、
又は、
第１信号リソースを前記第１構成情報によって複数構成した場合、第１信号を前記少なくとも２つのグループの第１指示情報の指示に基づいて送信する前に、
前記第１構成情報によって構成される第１信号リソースのグループ分け状況を指示するための第２グループ分け情報を前記ネットワーク側機器から受信することを更に含み、
各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する、請求項２に記載の信号伝送方法。
【請求項５】
前記第１構成情報によって少なくとも１つの第１信号リソースサブグループを構成し、各第１信号リソースサブグループに少なくとも１つの第１信号リソースが含まれ、
各グループの第１指示情報は、１つの第１信号リソースサブグループに対応する、請求項２に記載の信号伝送方法。
【請求項６】
前記第１信号を前記少なくとも２つのグループの第１指示情報の指示に基づいて送信するステップの前に、
前記第１信号のデータ層と各グループの第１指示情報との間の対応関係を取得することを更に含む、請求項１に記載の信号伝送方法。
【請求項７】
前記第１構成情報に基づいて第２信号を前記ネットワーク側機器に送信する前に、
前記第１構成情報に含まれる第１信号リソースに対応する送信ビームを指示するためのビーム指示情報を前記ネットワーク側機器から受信するステップを更に含み、
前記前記第１構成情報に基づいて第２信号を前記ネットワーク側機器に送信することは、
前記第１構成情報に基づいて、前記ビーム指示情報によって指示される送信ビームを利用して前記第２信号を前記ネットワーク側機器に送信することを含む、請求項２に記載の信号伝送方法。
【請求項８】
ネットワーク側機器に応用される信号伝送方法であって、
各グループの第１指示情報によって少なくとも１つの第１信号リソースを指示する少なくとも２つのグループの第１指示情報を端末に送信するステップと、
前記端末が前記少なくとも２つのグループの第１指示情報の指示に基づいて送信した第１信号であって、データ層を複数含む第１信号を受信するステップとを含み、
前記第１信号の各データ層は、それぞれ１つのグループの前記第１指示情報と対応関係が存在する、信号伝送方法。
【請求項９】
前記少なくとも２つのグループの第１指示情報を端末に送信するステップの前に、
少なくとも１つの第１信号リソースを端末に対し構成するための第１構成情報を前記端末に送信するステップと、
前記端末が前記第１構成情報に基づいて送信した第２信号を受信するステップと、
前記第２信号を測定し、前記第２信号に対応する第１信号リソースから少なくとも１つの第１信号リソースを選択するステップとを更に含み、
前記第１指示情報によって指示される少なくとも１つの第１信号リソースは、前記ネットワーク側機器が選択した第１信号リソースである、請求項８に記載の信号伝送方法。
【請求項１０】
前記前記端末が前記少なくとも２つのグループの第１指示情報の指示に基づいて送信した第１信号を受信することは、
前記第１指示情報によって指示される第１信号リソースに対応する第２信号を送信する際に使用されたアンテナパネルを前記端末がそれぞれ用いて送信した第１信号を受信することを含む、請求項９に記載の信号伝送方法。
【請求項１１】
複数のアンテナポートを含む第１信号リソースを前記第１構成情報によって１つのみ構成した場合、前記端末が前記第１構成情報に基づいて送信した第２信号を受信する前に、
前記第１構成情報によって構成される第１信号リソースのアンテナポートのグループ分け状況を指示するための第１グループ分け情報を前記端末に送信することを更に含み、
各グループの第１指示情報は、１つのアンテナポート群に対応し、前記少なくとも２つのグループの第１指示情報のうちの各グループの第１指示情報は、対応するアンテナポート群から少なくとも１つのアンテナポートを指示し、
又は
第１信号リソースを前記第１構成情報によって複数構成した場合、前記端末が前記第１構成情報に基づいて送信した第２信号を受信する前に、
前記第１構成情報によって構成される第１信号リソースのグループ分け状況を指示するための第２グループ分け情報を前記端末に送信することを更に含み、
各グループの第１指示情報は、１つの第１信号リソース群に対応し、前記少なくとも２つのグループの第１指示情報のうちの各グループの第１指示情報は、対応する第１信号リソース群から少なくとも１つの第１信号リソースを指示する、請求項９に記載の信号伝送方法。
【請求項１２】
前記第１構成情報によって少なくとも１つの第１信号リソースサブグループを構成し、各第１信号リソースサブグループに少なくとも１つの第１信号リソースが含まれ、
各グループの第１指示情報は、１つの第１信号リソースサブグループに対応する、請求項９に記載の信号伝送方法。
【請求項１３】
前記前記端末が前記第１構成情報に基づいて送信した第２信号を受信する前に、
前記第１構成情報に含まれる第１信号リソースに対応する送信ビームを指示するためのビーム指示情報を前記端末に送信するステップを更に含み、
前記前記端末が前記第１構成情報に基づいて送信した第２信号を受信することは、
前記端末が前記第１構成情報に基づいて、前記ビーム指示情報によって指示される送信ビームを利用して前記ネットワーク側機器に送信した第２信号を受信することを含む、請求項９に記載の信号伝送方法。
【請求項１４】
端末に応用される信号伝送装置であって、
各グループの第１指示情報によって少なくとも１つの第１信号リソースを指示する少なくとも２つのグループの第１指示情報をネットワーク側機器から受信する第１受信モジュールと、
データ層を複数含む第１信号を、前記少なくとも２つのグループの第１指示情報の指示に基づいて送信する第１送信モジュールとを含み、
前記第１信号の各データ層は、それぞれ１つのグループの前記第１指示情報と対応関係が存在する、信号伝送装置。
【請求項１５】
ネットワーク側機器に応用される信号伝送装置であって、
各グループの第１指示情報によって少なくとも１つの第１信号リソースを指示する少なくとも２つのグループの第１指示情報を端末に送信する第２送信モジュールと、
前記端末が前記少なくとも２つのグループの第１指示情報の指示に基づいて送信した第１信号であって、データ層を複数含む第１信号を受信する第２受信モジュールとを含み、
前記第１信号の各データ層は、それぞれ１つのグループの前記第１指示情報と対応関係が存在する、信号伝送装置。
【国際調査報告】
2021534675.tif 000024
2021534675.tif 000025
2021534675.tif 000026
2021534675.tif 000027